(57)【要約】  キャンドル・アセンブリ（１２００）は、溶融可能な固体燃料と、ウィックを保持し溶融可能な固体燃料と結合するウィック・ホルダが載置する溶融プレート、及び溶融可能な燃料要素（１２１１）を保持するための交換可能な容器を有するキャンドル・レフィル（１２０２）の少なくとも一方を備えた支持ベースを有する。溶融可能な燃料要素は内部に配置されるウィックを有し、交換可能な容器は第１の接合面を有する。キャンドル・アセンブリは、音を発するシステムと光を発するシステムの少なくとも１つを制御するために少なくとも１つの電気部品を有する制御ユニット（１２０６）を更に有する。
2009521785.tif 000002
【特許請求の範囲】
【請求項１】
溶融可能な固体燃料、及びウィックを保持し溶融可能な固体燃料と結合するウィック・ホルダが載置する溶融プレートと、溶融可能な燃料要素を保持するための交換可能な容器を含むキャンドル・レフィルと、の少なくとも一方を含む、支持ベースであって、溶融可能な燃料要素が内部に配置されたウィックを有し、交換可能な容器が第１の接合表面を有する、前記支持ベースと、
音を発するシステムと光を発するシステムの少なくとも一方を制御するために少なくとも１つの電気部品を含む制御ユニットと、
を含むキャンドル・アセンブリ。
【請求項２】
ウィック上に配置される炎の存在を検出するように構成されるセンサを更に含み、センサが音を発するシステムと光を発するシステムの少なくとも一方を制御する、請求項１に記載のキャンドル・アセンブリ。
【請求項３】
センサが交換可能な容器と対応付けられる、請求項２に記載の多感覚キャンドル。
【請求項４】
制御ユニットが支持ベースに相補的な表面と、第１の接合面に相補的な第２の接合面を有し、第１の接合面は、センサに炎の存在を検出可能にするために、事前に選択した空間の方向において第２の接合面と結合するように構成される、請求項２に記載のキャンドル・アセンブリ。
【請求項５】
センサが、音を発するシステムと光を発するシステムの少なくとも一方を制御する少なくとも１つの電気部品を起動し、停止し、使用可能にし、使用不能にするうちの少なくとも１つを行なう、請求項２に記載のキャンドル・アセンブリ。
【請求項６】
第１及び第２の結合面が動作可能に位置合わせされるときに溶融可能な燃料要素がセンサと光通信するための光透過経路を有する、請求項２に記載の多感覚キャンドル。
【請求項７】
光透過経路が、クリアなゲル状キャンドルコアと、光ファイバの少なくとも一方を有する、請求項６に記載の多感覚キャンドル。
【請求項８】
センサが、炎によって発生される熱を検出することと、炎による磁場の変化を検出することと、炎によって発生される光を検出することの少なくとも１つによって炎の存在を検出する、請求項２に記載のキャンドル・アセンブリ。
【請求項９】
センサは、サーミスタ、感光性センサ、ホール効果センサ、リード・スイッチ、及びサーモクロマチック・ストリップの少なくとも１つを含む、請求項２に記載のキャンドル・アセンブリ。
【請求項１０】
ホール効果センサが、ウィック・ホルダの近くに配置される磁石と鉄材料の少なくとも一方の磁場の変化を検出する、請求項９に記載のキャンドル・アセンブリ。
【請求項１１】
磁石及び鉄材料の少なくとも１つは、ウィック・ホルダを溶融プレートと位置合わせして保持することと、組み立てられて動作上の構成にあるとき所定の空間方向に指示ベースと制御ユニットとを位置合わせすることの少なくとも一方を行なう、請求項１０に記載のキャンドル・アセンブリ。
【請求項１２】
サーモクロマチック・ストリップは、第１の温度から第２の温度に加熱されるとき、第２の色に変化する第１の色を有する、請求項９に記載のキャンドル・アセンブリ。
【請求項１３】
サーモクロマチック・ストリップの第１の色から第２の色への色変化を検出するための光電センサを更に含む、請求項１２に記載のキャンドル・アセンブリ。
【請求項１４】
第１の温度が約１５０°Ｆ以下であり、第２の温度が約１００°Ｆ以上である、請求項１２に記載のキャンドル・アセンブリ。
【請求項１５】
溶融プレートが、ウィック・ホルダのベース部と協働して係合し、それらの間に毛管ギャップを形成し、溶融プレートからウィックへの溶融した燃料の毛管流れを許容することができる、請求項１に記載のキャンドル・アセンブリ。
【請求項１６】
光を発するシステムが、制御ユニットに配置される少なくとも１つのＬＥＤを含む、請求項１に記載のキャンドル・アセンブリ。
【請求項１７】
支持ベースが拡散器をさらに含む、請求項１に記載のキャンドル・アセンブリ。
【請求項１８】
拡散器が、支持ベースに対する拡散器の固定を可能にする表面幾何学的特徴を含む、請求項１７に記載のキャンドル・アセンブリ。
【請求項１９】
支持ベースが拡散器によって制御ユニットに固定される、請求項１７に記載のキャンドル・アセンブリ。
【請求項２０】
拡散器がフランジによって制御ユニットに固定される、請求項１９に記載のキャンドル・アセンブリ。
【請求項２１】
支持ベースが接着剤によって拡散器に固定される、請求項１９に記載のキャンドル・アセンブリ。
【請求項２２】
拡散器は、光を発するシステムから放出される光を拡散、分配、散乱させることの少なくとも１つを行なうために光を発するシステムと相互作用するように位置付けられる、請求項１７に記載のキャンドル・アセンブリ。
【請求項２３】
電気部品が、音を発するシステムと光を発するシステムの少なくとも一方の制御のための電子部品に動作可能に接続される通信リンクを含む、請求項１に記載のキャンドル・アセンブリ。
【請求項２４】
通信リンクは、音響スイッチ、振動検出スイッチ、ホール効果センサ、取り外し可能データ記憶媒体、ケーブル、ＵＳＢポート、無線周波センサ、赤外線センサ、ブルートゥース使用可能リンク、誘導通信リンク、及びフォノ・ジャックのうちの少なくとも１つを含む、請求項２３に記載のキャンドル・アセンブリ。
【請求項２５】
溶融プレートは、上方に突出する毛管ローブを含み、毛管ローブがウィック・ホルダの凹状ベース部に配置され、毛管スペースが毛管ローブと凹状ベース部との間に画定されて溶融した燃料の溶融プレートからウィックへの毛管流動を可能にする、請求項１に記載のキャンドル・アセンブリ。
【請求項２６】
毛管スペースが、凹状ベース部の下方に延出する囲いと、毛管ローブの壁との間に画定される、請求項２５に記載のキャンドル・アセンブリ。
【請求項２７】
光を発するシステムがマルチカラーＬＥＤを含む、請求項１に記載のキャンドル・アセンブリ。
【請求項２８】
光を発するシステムが３色ＬＥＤを含む、請求項１に記載のキャンドル・アセンブリ。
【請求項２９】
制御ユニットが、電源、バッテリー反転保護装置、ディジタル処理ユニット、及び制御機構の少なくとも１つを含む、請求項１に記載のキャンドル・アセンブリ。
【請求項３０】
電源は、バッテリーと、電気コードの少なくとも一方を含む、請求項２９に記載のキャンドル・アセンブリ。
【請求項３１】
バッテリー反転保護装置は、バッテリーが反対方向からバッテリーホルダに挿入される場合に制御ユニットをダメージから保護する、請求項３０に記載のキャンドル・アセンブリ。
【請求項３２】
ディジタル処理ユニットは、ＰＷＭ発生器、ランプドライバ、パターン記憶容量、及びプログラム記憶容量の少なくとも１つを含む、請求項２９に記載のキャンドル・アセンブリ。
【請求項３３】
ディジタル処理ユニットが、複数の異なるライトショーを符号化する、請求項３２に記載のキャンドル・アセンブリ。
【請求項３４】
制御機構が、ユーザにライトショーを開始、選択、又は一時停止させる、請求項２９に記載のキャンドル・アセンブリ。
【請求項３５】
制御ユニットがライトショーを生成する、請求項２９に記載のキャンドル・アセンブリ。
【請求項３６】
ライトショーが、第１の期間に対して第１の色を放出し、第２の期間に対して第２の色の放出することを含む、請求項３５に記載のキャンドル・アセンブリ。
【請求項３７】
ライトショーが、反復サイクルとランダムパターンのうちの少なくとも１つを含む、請求項３５に記載のキャンドル・アセンブリ。
【発明の詳細な説明】
【技術分野】
【０００１】
関連出願への相互参照
本出願は、米国特許出願シリアル番号第１１／３５５，５８５号、２００６年２月１６日出願の一部継続出願であり、それは、米国特許出願シリアル番号第１０／７８０，０２８号、２００４年２月１７日出願の一部継続出願であり、それは、米国特許出願シリアル番号第０９／７４７，５４５号、２０００年１２月２０日出願、即ち、米国特許第６，８０２，７０７号の一部継続出願であり、それは、米国特許出願シリアル番号第０９／４６８，９７０号、１９９９年１２月２１日出願の一部継続出願である。本出願はさらに、米国特許出願シリアル番号第１１／１４０，６８３号、２００５年５月３１日出願の一部継続出願であり、それは、米国特許出願シリアル番号第１０／７８０，０２８号、２００４年２月１７日出願、及び米国特許出願シリアル番号第１０／９７８，７４４号、２００４年１１月１日出願の一部継続出願であり、それは米国特許出願シリアル番号第１０／９３８，４３４号、２００４年９月１０日出願の一部継続出願である。本出願はまた、米国特許出願シリアル番号第１１／２９１，２８０号、２００５年１２月１日出願の一部継続出願であり、それは２００４年９月１０日出願の米国特許出願シリアル番号第１０／９３８，４５３号、２００５年５月６日出願の米国特許出願シリアル番号第１１／１２３，３７２号、２００５年５月６日出願の米国特許出願シリアル番号第１１／１２４，３１３号、及び２００５年５月６日出願の米国特許出願シリアル番号第１１／１２３，４６１号の一部継続出願であり、それらは、米国特許出願シリアル番号第１０／９７８，７４４号、２００４年１１月１日出願の一部継続出願である。本出願はさらに、米国特許出願シリアル番号第１０／９３８，４５３号、２００４年９月１０日出願の一部継続出願である。本出願はまた、米国特許出願シリアル番号第１１／０９６，７５３号、２００５年３月３１日出願の一部継続出願である。本出願はさらに、米国特許出願シリアル番号第１１／１８５，１７４号、２００５年７月２０日出願の一部継続出願である。本出願はまた、米国仮出願シリアル番号第６０／７５４，０８８号、２００５年１２月２１日出願の利点を主張する。
【０００２】
連邦政府によって提供された調査又は進展に関する参照
適用せず。
【０００３】
シーケンシャル・リスト
適用せず。
【０００４】
本発明は概して、ウィックホルダ・アセンブリに関し、より詳細には、ライトショーを有するウィックホルダ・アセンブリに関する。
【背景技術】
【０００５】
音声及び／又は光を発する多くの異なる多感覚（マルチセンソリー）キャンドル・アセンブリが周知である。ある場合に、キャンドル・アセンブリは、その開放上端部を取り囲む埋め込み型段付きリングを有する円筒状容器内に配置される芯付きキャンドルを有する。円形のシェード本体は、開放上端部内に適合し、埋め込み型段付きリング上に載置する外周フランジを有する。
【０００６】
別の場合において、キャンドル・ホルダはキャンドルスティックを収容するための規格を有し、このキャンドルスティックはキャンドル・ホルダのベースから延出する。この規格は、キャンドルスティックを内部に収容するために上端で外曲げフランジを備えたソケットを有する。漏斗状スプリット・チューブがソケット内に配置される。このスプリット・チューブは、ソケットの外曲げフランジ上に載置する外曲げ周囲フランジを有する。キャップは、ソケットの外曲げフランジにまたがり、スプリット・チューブより上に離間配置される周囲エッジ上に載置する。
【０００７】
取り付けベースから上に延出する空洞の円筒状本体部分を有する電気キャンドルが知られている。奉納ロウソク（ボウティブ・キャンドル）は、中央のフラストコニカル・リムから半径方向外側に延出する複数のアームを有するブラケットによって本体部分の開放上端内に装着される。奉納ロウソクはリム内部で装着され、アームの周辺エッジは、本体部の開放上端で埋め込み型内側環状リム上に載置する。
【０００８】
ある場合に、ロウソクは、管状外側ケーシング内部に収容される蝋（ろう）本体を備えた一定高さの炎を有する。バネは、断熱カバーによって外側ケーシングの開放端上に装着されるウィック（芯）に向けて上方に蝋本体を付勢する。ウィックは、カバーの中央開口を通って延出し、ワイヤによって一定の高さ位置に保持される。カバーの外曲げ周辺リップは、管状ケーシング内の周辺凹部に載置する。
【０００９】
ある場合において、装飾された照明製品は、キャンドル又はキャンドルを含むキャンドル・ホルダを有する。照明製品は、該照明製品の形状に適合する熱収縮可能なポリマの装飾的ウェブを有する。ウェブは、ロウソクを燃焼させることによって生成される熱に反応するサーモクロマチック・インク又は色素沈着で装飾されて、このロウソクが燃焼されるときに視覚上の効果をもたらす。
【００１０】
他の場合において、メロディーキャンドルは、ウィックと平行にロウソクに埋め込まれる光ファイバを有する。光ファイバは、メロディー生成ユニットを制御する光センサに接続されているので、ロウソクが点灯されると、光が光ファイバを介して光センサに伝達され、これによりメロディーが演奏される。光ファイバは、ロウソクが点灯されないときに周辺光を光センサに伝達することを防止する暗色の色変化顔料で塗布される。ウィックの点火と同時に、点火されたウィックからの熱により、色変化顔料が透明になり、光が光ファイバを下に移動させ、メロディー生成ユニットを起動させてメロディーを開始する。
【００１１】
別のメロディーキャンドル・アセンブリは、内部に軸方向に配置されるウィック、及びウィックに平行して配置される熱応答性圧電ストリップを備えたロウソクを有する。ウィックが点火されると、熱応答性ストリップによって転移される炎からの熱が、キャンドル・ベースにおける電子回路を駆動させることによって、メロディー、歌、又はヴォーカル・レンディションを開始する。
【００１２】
さらに別のメロディー生成キャンドルは、音楽を生成する埋め込み式集積回路を有する。光ファイバ・ストランドは、点火されたウィックから、集積回路に動作可能に接続される光センサに光を伝達する。このロウソクは、光センサの感度を、光ファイバ・ストランドを介して光センサに伝達される光に調整する光リフレクタをさらに有する。
【００１３】
更なるメロディーキャンドル・アセンブリは、底面上に１つ以上の凹部と、ロウソクの底面まで延出する下端を備えたウィックとを備えたロウソクを有する。ロウソクは、内部に軸方向に埋設される光ファイバをさらに有する。このキャンドル・アセンブリは、さらにまた、１つ以上の開口、及びウィックが延出する中央孔を備えた上面を有するキャンドル・スティック要素を有する。キャンドル・アセンブリは、メロディー再生ユニット、及び、ウィックからの光を感知するためにウィックの下端の反対側の中央孔に適合される光センサを有し、メロディー生成ユニットを動作のために作成する。
【００１４】
別のメロディーキャンドルは色変化顔料を使用して、標準状態で光を遮蔽するために黒色に近い色のままにあって、ロウソクが燃焼されるとき加熱時に透明色に変化する光ファイバを塗布する。
【００１５】
別の場合において、キャンドル装置は、炎源に応答するように適合される炎応答回路、及び、無線周波数信号に応答するように構成される受信回路を有する。炎応答回路及び受信回路は、電子再生装置、電気機械装置、光源装置などに連結される。
【００１６】
更なるキャンドル装置は、有底の容器内に収容されるロウソク本体、及び、集積回路を有する音楽発生器を収容するために底部に形成される区画を有する。集積回路は、ロウソクの点火されたウィック上にロウソクの炎があることに応答して集積回路を起動させるスイッチング手段によって制御される。スイッチング手段は、感光性レジスタと組み合わされる光ファイバ部材、感熱性レジスタと組み合わされる熱伝導性ワイヤ、又は赤外線レジスタと組み合わせされる熱伝導性ワイヤを有する。赤外線レジスタは、加熱されたワイヤによって放出される赤外線を検出する。
【００１７】
色が変化するロウソクは、ロウソク本体のウィックに隣接して平行に埋め込まれる光ファイバ・ストランドを有する。光ファイバは、ロウソク本体内に埋め込まれる電子回路に動作可能に接続される。光ファイバ・ストランドから送られる光を検出することに応答して、電子回路はロウソク本体の色を１つ以上の点灯された発光ダイオードの色に変化させる１つ以上の発光ダイオードを起動させる。
【００１８】
さらに他の場合において、ロウソクは、ロウソク本体内にウィックが軸方向に配置される、光ファイバ・ケーブルなどの光学ガイドを有する。この光学ガイドは、音曲発生電子回路に連結されるので、ロウソクが点火されると、光学ガイドに沿って伝達されるロウソクの光が音曲の演奏を始動する。
【００１９】
他の場合において、ロウソクは、いったんロウソクが磁気ベース機構を起動させるために十分な量の蝋を燃焼すると、ロウソクの炎を消火する機能があるロウソク炎消火器アセンブリを有する。磁気ベースのロウソク炎消火器機構は、ウィックホルダと、第１の極性を有する第１の磁石を有するロウソクを有する。ロウソクは、第２の極性を有しロウソクの下に配置される第２の磁石の上に配置される。第１及び第２のそれぞれの磁石は、第１の磁石の第１の極性が第２の磁石の第２の極性によって反発されるように位置付けられる。しかしながら、ロウソクの重量は、最初はロウソクを直立位置のままにし得る第１及び第２のそれぞれの磁石の反発力に耐えるのに十分である。ロウソクが充分に溶融されると、溶融された蝋の溜まりが形成される。蝋の量が消耗された後で、磁石間の反発力はロウソクの重量に耐え、ロウソクを溶融された蝋の溜まり内に先をつけさせることによって、炎を消火させる。
【００２０】
他の場合において、キャンドル支持構造は、ロウソクが地震等の振動によって、ひっくり返るのを防止するように設計されている。この構造は、従来の蝋主体のロウソク本体のベース内の孔に適合するシンブル（はめ輪）状装置から構成されるように見える。シンブル及びロウソクは、受容体上で収容される。シンブル及びロウソクが収容される受容体の位置には、内部に埋設される永久磁石が有り、推定できるように燃焼中のロウソクから滴下するロウソクの蝋滴を受けとめるように皿状構造であるように見えるものと同じ高さにある。このロウソクは、まず内部にシンブルを収容するが、さらにロウソクがシンブルとその下にある永久磁石を過熱させないようにするためにそのベース内に孔が設計されている。
【００２１】
さらに別の場合において、磁気キャンドルホルダ・アセンブリは、そのベースに付着される磁石を備えたキャンドルホルダを有する。さらに、このアセンブリは、磁気材料から成るスパイク型ディスクを有する。このディスクは従来の蝋型ロウソクのベースに挿入され、ディスク及びロウソクは磁石の上に置かれる。キャンドルホルダに付着された磁石と、ロウソクのベース内に挿入された磁気材料から成るディスクとの間の磁気引力はロウソクをキャンドルホルダに固定する。
【００２２】
点灯された表示装置は、３つの発光ダイオードを組み込んだベースを有し、これら発光ダイオードは、同時に可視スペクトルにある色を発光し、表示装置上に配置される半透明の物品を選択的に照射することができる。これらダイオードは、ベースの上面より下で、ベースに配置される中央配置の光経路内に位置付けられる。半透明の物品サポートは、ＬＥＤによって発光される光を更に拡散し分配するために、ベースの上面の最上部に取り外し可能に設置される。半透明の物品サポートは、半透明材料の平坦なシート又はキャンドルホルダであってもよい。
【００２３】
さらに他の場合には、キャンドル・スティック要素は、離間配置される少なくとも２つの開口と、光ファイバの下端が延設される中央孔と、キャンドル・スティック要素の上部に形成されるそれぞれの開口上に移動可能に突設出されるスイッチ・ノブを備えたメロディー生成ユニットと、を有する。
【発明の開示】
【課題を解決するための手段】
【００２４】
本発明の一形態によれば、キャンドル・アセンブリは、上方に突出する毛管ローブ（突出部）を供えた支持ベースを有する。毛管ローブはウィックホルダの凹型ベース部内に配置される。毛管空間は、支持ベースからのウィックに対する溶解された燃料の毛管の流れを可能にするために、毛管ローブと凹型ベース部との間に画定される。キャンドル・アセンブリは、発光システムと、この発光システムを制御するために制御ユニットをさらに有する。
【００２５】
本発明の別の形態によれば、キャンドル・アセンブリは、上方に突出する毛管ローブを備えた支持ベースを有する。毛管ローブは、ウィックホルダの凹型ベース部内に配置される。毛管スペースは、支持ベースからのウィックに対する溶解された燃料の毛管の流れを可能にするために、毛管ローブ及び凹型ベース部の間に画定される。キャンドル・アセンブリは、発光装置、及びこの発光装置を制御するための制御ユニットをさらに有する。制御ユニットは、電源、バッテリー反転保護装置、ディジタル処理ユニット、及び制御機構を有する。
【００２６】
本発明の更なる形態によれば、キャンドル・アセンブリは、上方に突出する毛管ローブを供えた支持ベースを有する。毛管ローブは、ウィックホルダの凹型ベース部内に配置される。支持ベースからのウィックに対する溶解された燃料の毛管の流れを可能にするために、毛管ローブ及び凹型ベース部の間にギャップが画定される。キャンドル・アセンブリは、支持ベースに対する拡散器の固定を可能にする表面幾何学的特徴を有する拡散器を更に有する。キャンドル・アセンブリは、さらに、バッテリーを備えた制御ユニット、バッテリー反転保護装置、ディジタル処理ユニット、制御機構、及び３色ＬＥＤを有する。制御機構の起動により、ディジタル処理ユニットによって符号化され３色ＬＥＤから発せられるライトショーの開始、選択、終了、一時停止の少なくとも１つを行なう。
【００２７】
その他の形態及びそれらの利点は、図面及び以下の詳細な説明を考慮して明白になるが、種々の図面における同様の参照番号は、種々の実施の形態における同様の構造を示す。
【発明を実施するための最良の形態】
【００２８】
図１から図５を参照して、キャンドル・アセンブリ１００は、支持ベース１０２、溶融プレート１０４、ウィックホルダ１０６、ウィック１０８、及び燃料要素１１０を有する。支持ベース１０２は、概して受け皿形状の溶融プレート１０４を装着し、毛管ペデスタル（台座）１１２がその中央に配置されている。任意の装飾的エッチング１１４は溶融プレート１０４の上部露出面に配置されて、より一層の見栄えの良さ又は視覚情報をもたらす。ウィックホルダ１０６は、毛管ペデスタル１１２の上に適合するベース部１１６、細長い円筒形バレル１１８の形状のウィック保持スリーブ、及びフィン１２０などの熱伝導性要素を有する。バレル１１８は、ウィックの一部を保持するベース部１１６からウィックが延出しかつウィックがバレルより上に露出されるように、ウィック１０８を内部に収容する。燃料要素１１０は、ウィックホルダ１０６の上でその周囲に配置され、ウィック１０８が延出するダクト若しくはスロット１２２を有する。スロット１２２は、ウィック１０８をスロット内で延出させるのに十分な幅ｗ1と、フィン１２０の少なくとも一部をスロット内に収容するのに十分な長さｌ1を有する。一実施の形態において、燃料要素１１０の蝋の質量はほぼ１５ｇであり、溶融プレート・キャンドル１００は単一の燃料要素、例えば、蝋燃料要素１１０上で約３時間から約３時間半の間にわたって連続して燃焼し、その後、燃料は完全に使い果たされる。
【００２９】
図２に示すように、ウィックホルダ１０６のベース部１１６は、概して円錐形のベース囲い１２６によって取り囲まれるエンドプレート１２４、ならびに、ベース囲いから上方に延出するバレル１１８及びバレルとエンドプレート１２４から延出するフィン１２０を有する上部を含む。ベース部１１６は、バレル１１８が毛管ペデスタル１１２上に設置されるときに直立の、即ち実質的に垂直方向に維持されるように、毛管ペデスタル１１２の上でその周囲に密着するように適合される。ベース囲い１２６はへこみ、即ちスペーサ１２８を有し、穴部１３０はエンドプレート１２４を貫通延出する。強磁性構造、例えばスチール・リベット１３２若しくは磁石（図示せず）は、例えば穴部１３０を介してベース部１１６に固定されるので、ウィックホルダ１０６は、磁力によって毛管ペデスタル１３０上に開放可能に固定され得る。バレル１１８は、内部にウィックを保持するようにいずれかの締まり嵌めでウィック１０８を収容するようなサイズとされ、ウィックがエンドプレート内を延出可能であるようにエンドプレート１２４内に開口１３４を画定する。フィン１２０は、バレル１１８の両側で側面方向外側に延出し、バレルより上方に延出する。一実施の形態において、フィン１２０は、炎の輪郭をシミュレートするように形成される。他の実施の形態において、フィン１２０は正方形、円形、楕円形、三角形、若しくは他の非幾何学的形状を有してもよく、さらに他の実施の形態では、２００４年９月１０日出願の米国特許出願第１０／９３９，０３９号に十分に記載されるようにフィン１２０は絶縁領域（図示せず）を有することもある。フィン１２０は、ウィック１０８上で燃焼している炎からの熱を燃料要素１１０に対して外側に伝達するために金属などの熱伝導性材料の比較的薄肉のストリップである。一実施の形態において、ウィックホルダ１０６は、切断され折り目１３６に関して折り曲げられ、それによって、対向側面１４０、１４２間に毛管スペース１３８を形成し、ベース囲い１２６内にチャネル又はギャップ１４４を形成する。他の実施の形態において、ウィックホルダ１０６は、セラミック、他の金属類、熱抵抗プラスチックなどの他の熱抵抗材料から他の方法によって形成されることもできる。ウィックホルダ１０６がスチールなどの強磁性材料から構成される場合、スチール・リベット１３２は任意選択的に省略してもよい。２つの側面１４０及び１４２は、ヒート・フィン１２０内の孔部１４８を通るリベット１４８、溶接、クリップ、熱抵抗接着剤などの便宜的手段によって共に固定される。ギャップ１４４及び孔部１３０は、燃料要素１１０からの溶融された燃料材料をベース囲い１２６の下に滴下若しくは漏出させることができ、毛管スペース１３８は、溶融された燃料材料を毛管作用によってフィン１２０より上に浸透させることができ、それによって非消耗性ウィック領域１５０内に燃料材料源を提供する。このような毛管作用の一例は、２００４年９月１０日出願の米国特許出願第１０／９３８，４５３号に記載される。
【００３０】
図３に詳細に示すように、燃料要素１１０は、燃料材料の本体１５２を有し、上面１５４及び下面１５６を有する。一実施の形態における燃料要素１１０は、蝋パックであり、他の実施の形態では他の形状を有してもよく、他の溶融可能若しくは流動可能な燃料材料、例えばパラフィンや動物性脂肪であって、固体若しくは半固体状態であったり、あるいは室温で一定の形状に維持可能なものを有する。燃料要素１１０の下面１５６は、ウィックホルダ１０６のベース部１６０に密接に一致するように形成される上部空洞壁１６０を有する空洞１５８を画定する。スロット１２２は上面１５４から空洞壁１６０まで延出し、上面における幅ｗ1は空洞壁における幅ｗ2よりも小さい。幅ｗ1は、燃料要素１１０からの溶融された蝋が、ウィック１０８と接触せずにスロット１２２内を落下若しくは流れ落ちることがないように適合され、あるいは別の方法では、幅ｗ1はスロット１２２の上部付近から溶融された燃料材料がスロット内を落下若しくは流れ落ちるときにウィック１０８と接触することになることを保証するのに十分に狭い。一実施の形態において、ｗ1は、スロット１２２の上端におけるウィックの直径よりも大きいほぼ０．０２インチ（０．５ｍｍ）以下である。別の実施の形態では、ｗ1は、ウィック１０８の直径とほぼ同じである。さらに別の実施の形態では、締り嵌めがスロット１２２の上端でウィック及び本体１５２の間に存在するように幅ｗ1はウィック１０８の幅よりも小さい。更なる形態において、幅ｗ1は約０．１２インチ（３ｍｍ）以下であり、ウィック１０８はほぼ０．１インチ（２．５ｍｍ）の直径を有する。さらにまた別の実施の形態（図示せず）において、スロット１２２は、ウィック１０８及びウィックホルダ１０６をスロット１２２に容易に挿入可能にするために、ウィック１０８の直径よりも最初は約０．０２インチ（０．５ｍｍ）大きい幅を有し、このスロットはその後、幅ｗ1がウィックの直径よりも約０．０２インチ（０．５ｍｍ）小さくなるように、第２の製造工程において更なる燃料材料で充てんされる。
【００３１】
図４に示すように、支持ベース１０２は、概してボウル形状の上部チャンバ１６２内に溶融プレート１０４を装着する。一実施の形態における溶融プレート１０４は、接着剤１６６で上部チャンバ１６２の側壁１６４に固定されることによって、溶融プレートと、支持ベース１０２の中間壁１７０との間に空のエアスペース１６８を提供する。エアスペース１６８は、溶融プレートと支持ベース１０２との間に更なる分離をもたらして支持ベースに対する溶融プレート内のヒート・ロスを軽減する。別の実施の形態（図示せず）において、溶融プレート１０４と中間壁１７０との間にエアスペース１６８が存在しないように、溶融プレート１０４が接着剤１６６を間に設けて中間壁１７０と隣接している。言うまでもなく、溶融プレート１０４のための他の配置及び支持構造もまた、溶融プレート１０４を支持するために適している。
【００３２】
燃料要素１１０の一実施の形態において、スロット１２２は、下面１５６における長さｌ2よりも長い上面１５４における長さｌ1を有する。長さl1は、フィン１２０の最大幅ｗfより小さく、長さｌ2は、ヒート・フィンの最大幅ｗfよりも長い。ｗfに関するスロット長ｌ1及びｌ2のこのような構成は、本明細書中に記載されるようなスロット幅ｗ1及びｗ2に加えて、ウィックホルダ１０６を下面１５６からスロット内に十分に挿入するのを容易にする。スロット１２２及び空洞１５８のこのような構造はまた、フィン１２０が下面１５６よりも上面１５４を介してスロット内に挿入される場合、スロットがウィックホルダを完全に収容することを防止することによって、燃料要素１１０及びウィックホルダ１０６の不適切な組み立てを防止若しくは阻止する。
【００３３】
図５に示されるように、溶融プレート１０４の一部、毛管ペデスタル１１２、ウィックホルダ１０６、燃料要素１１０、及びウィック１０８は、ユーザによって組立てられ、使用若しくは最初の点火の準備がなされる。一実施の形態において、毛管ペデスタル１１２は、溶融プレート１０４の床１７６と毛管ペデスタルの上部壁１７８との間の中間位置で周囲に延出する環状溝１７４を有する傾斜側壁１７２を有する。磁石１８０は、接着剤１８２で上部壁１６６の下側に固定される。別の実施の形態では、磁石１８０は、上部壁１７８の上側、若しくはウィックホルダ１０６を引き付けるのに十分とされる別の位置に配置され得る。スペーサ１２８は環状溝１７４に着座するように適合されて、ベース囲い１２６、及びウィック１０８に向けた溶融された若しくは液体の燃料材料の毛管動作を容易にするようなサイズとされた傾斜側壁１７２との間に毛管スペース１８４を提供する。スペーサ１２８はまた、環状溝１７４に着座することによって、毛管ペデスタル１１２上にウィックホルダ１０６を保持することにも役立つ。さらに、ウィックホルダ１０６のスチール・リベット１３２は、毛管ペデスタル１２８上に設置されると磁石１８６によって引きつけられ、それによって、ウィックホルダが毛管ペデスタルから誤って落下したりずり落ちたりすることを防止する。エンドプレート１２４の下側に配置されるとき、スチール・リベット１３２はまた、毛管スペース１８４を維持するのに役立つようにスペーサとしての働きをする。別の実施の形態において、ウィック・クリップ１０６を毛管ペデスタル１１２上の所定位置に維持するために、磁石１８６を接着剤やリベットなどの便宜的手段によってエンドプレート１２４に固定されることもある。燃料要素１１０の空洞壁１６０は、ベース囲い１２６と、ウィックホルダ１０６のバレル１１８の周囲に密接に適合されるような形状とされ、燃料要素とウィック１０８、ウィックホルダ１０６、及び溶融プレートの床１７６との間の開放スペースを最小限にするために溶融プレート１０４の床１７６上に置かれる。開放スペース１８８を最小限にすることにより、溶融された燃料材料（図示せず）を床１７６に対して下方に落下するウィック１０８に直接供給させたり、開放スペースに蓄積する可能性が増大し、それにより潜在的に燃焼中に液体若しくは溶融された燃料材料のウィックを使い尽くす。しかしながら、溶融された燃料材料が毛管ペデスタル１１２のベースの周囲に蓄積すると、溶融プレート１０４からの溶融、若しくはウィック１０８上の炎１０９によって直接溶融することであることにかかわらず、溶融された燃料材料は、ロウソクが燃焼している際に非消耗ウィック領域１５０に向かって毛管作用によって毛管スペース１８４に沿って上方に引き上げられる。一実施の形態におけるウィック１０８は、毛管ペデスタル１１２の上部壁１７８に接触若しくはほぼ接触するようにバレル１１８の開放端１３４内を延出して、毛管スペース１８４によって上方に引き上げられた液体燃料材料は、ウィック１０８と接触し、ウィックの最上部で燃焼する炎による最終的な燃焼に対して内部で上方に引き上げられることになる。ウィック・バレル１１８は、ウィック１０８を収容するのに十分な内径を有する。バレル１１８の内径は、ウィックの直径よりも大きいか、小さいか、あるいは同じであってもよく、その長さに沿って異なる直径を有してもよい。一実施の形態において、バレル１１８の内径は、ウィック１０８がバレルに容易に挿入され得るように、ウィック１０８の直径よりも大きい。別の実施の形態において、バレル１１８の内径は、ウィック１０８の直径よりも均等に約０．０１２インチ（０．３ｍｍ）だけ大きい。さらに他の実施の形態において、バレル１１８の内径は、ウィック１０８と同じ大きさであるか、又はそれよりも小さい。溶融された燃料材料は、水抜き穴１３０を通って毛管スペース１８４内に浸透する可能性があり、それによって、発火し、又は毛管スペース１８４を介した上方への毛管作用を容易にする。溶融された燃料材料は、さらに、フィン１２０の対向面１４０、１４２間の毛管スペース１３８において上方に引き上げられ、溶融された燃料材料がウィック１０８上の炎によって蒸発及び燃焼される非消耗ウィック領域１５０まで引きあげられることもある。
【００３４】
図６を参照すると、別のウィックホルダ２００及び溶融プレート２０２が、図１から図５に示されたウィックホルダ１０６及び溶融プレート１０４と同様に示されているが、毛管ペデスタル２０４は、環状溝１７４のない傾斜が滑らかな側壁２０６を有し、ウィックホルダ２００がベース囲い１２６にスペーサ１２８を有していない。１８４と同様の毛管スペース（図示せず）は、ウィックホルダ２００のベース部１１６のエンド・ウォール１２４などの下に突出するスチール・リベット１３２によってベース囲い１２６と側壁２０６との間に維持される。本実施の形態において、ウィックホルダ２００は、実質的にはスチール・リベット１３２と、毛管ペデスタル２０４の磁石１８０（図６には図示せず）との引力と、任意の重量の燃料要素１１０によって、毛管ペデスタル２０４上に維持される。
【００３５】
図７及び図８を参照すると、例えばキャンドル・アセンブリ１００に使用される別の実施の形態のウィックホルダ３００は、ウィックホルダ１０６（又は２００）と同様であるが、このウィックホルダ３００もまた、ウィック・バレルの他の部分の断面積より小さい断面積を有するバレル１１８の中間部分を有する。バレル１１８の側壁３０４のくぼみ３０２は、バレルの反対端部３０８と３１０の中間に設置又は配置され、バレルの他の部分よりも小さい断面積を有するバレルのくびれ部分３０６を画定する。ウィック１０８は、（溶融あるいは流動状態にあるときに）燃料材料３１１を吸着するように適合されるウィックの一部若しくは端部が端部３１０を介して下方に延出し、燃焼に適合したウィックの別の部分若しくは端部が端部３０８を介して上方に延出するように、バレル１１８内を延出する。くびれ部分３０６は、有効ウィック断面積を減少させ、それによって、第１の開放端部及び第２の開放端部間のウィックの毛管流量能力を減少若しくは制限することもある。端部３１０から端部３０８より上にある炎領域に向かってウィック１０８の上にある流体燃料材料３１１の制限された流量能力、及びその後の減少した体積流量率は、燃料材料燃焼率を減少させ、燃料要素１１０の寿命を延長させる。より大きな断面積を有するくびれ部分３０６が、より小さい断面積を有するくびれ部分よりも体積流量率の高速化を可能にし、又は、毛管流量率の増加を可能にするので、ウィック１０８の毛管流量率は、くびれ部分の断面積を減少させるようにことによって大きく減少されることがある。側壁３０４が実質的に液体不浸透性であり（例えば、流体燃料材料をウィック１０８まで流動させず）、これによりエンドプレート１２４に設置された端部を介して若しくはバレル１１８の端部３０８の上に、ウィックへの流体燃料材料の流れを制限するときに、ウィック１０８に沿ってくびれ部分３０６を超えた上方への流体燃料材料３１１の流量率に関してこのようなくびれが向上される。たとえば、ウィック１０８がバレル１１８から引き出されないように、ゆえに毛管スペース１８４及び水抜き穴１３０を介してウィックに向けて流体燃料材料３１１の流れとの接触を潜在的に失うことがないように、ウィックの端部が端部３１０内若しくは端部３１０まで延出するように、くぼみ３０２は、バレル１１８内の所定位置にウィック１０８を維持するのに役立つこともある。
【００３６】
本明細書に詳細に記載されたキャンドル・アセンブリとウィックホルダ３００の他の変形及び実施の形態がさらに明確に検討される。たとえば、一実施の形態において、バレル１１８は、他の断面積及び形状を有する円筒形状若しくは管形状を有するスリーブの形をとることもできる。他の実施の形態において、バレル１１８のくびれ部分３０６は内側環状リッジ（図示せず）によって形成され、それはウィック・バレル１１８の周囲全体において側壁３０４をへこませたり、縁曲げしたりすることによって、若しくは側壁３０４の内側表面に配置される内側環状ショルダーによって形成されることもある。別の実施の形態におけるくびれ部分３０６は、単一のくぼみ３０２によって、又は複数のくぼみによって形成されてもよく、それは、対向する関係にあるか、互いに相殺されるかのいずれかでもよい。別の実施の形態（図示せず）において、バレル１１８は、概して管状でないウィック・ケーシングの形状を有することもあるが、それよりもむしろ、ウィック１０８の一部を封入し、ウィックが延出する側壁内の第１及び第２の各開口部を有する長さ方向に湾曲した側壁を有する。
【００３７】
図８に示され、本明細書中に記載されるウィックホルダと毛管ペデスタルの組み合わせにも適用可能とされる別の態様によれば、毛管スペース１８４は、ウィックホルダ３００のベース部１１６と毛管ペデスタル２０４との間において体積、即ち毛管ウェル３５０を画定する。燃料材料３１１（蝋又は他の溶解可能な燃料など）のたまり３５２（破線表示）が周辺囲い１２６及び毛管ペデスタル２０４周囲の溶解プレート２０２に形成されて凝固されたあとに、毛管ウェル３５０は、ウィック１０８のうまく維持された再点火を促進するために前選択される寸法を有する。持続性の燃焼中に、たまり３５２からの燃料材料３１１の流体部分は、ウィック１０８で炎３５４を供給するために毛管作用によって毛管ウェル３５０内にウィック１０８まで引き出される。炎３５４が燃料要素１１０全体を使い果たす前に消火されると、燃料材料３１１のたまり３５２が凝固し、溶融プレート２０２の底部にわたって、毛管ウェル３５０を介してウィック１０８内に延出する。一実施の形態において、ウィック１０８が燃料材料３１１のたまり３５２が凝固したあとで再点火されると、周辺囲い１２６を囲む燃料材料が液化燃料材料の供給を付与して毛管ウェル内の燃料材料と置き換えるのに十分に溶融されるまで、毛管スペース１８４は、燃料材料の流体供給が迅速に形成され毛管ウェル３５０に利用可能でありウィック１０８を介して炎３５４を供給するような寸法とされる。たとえば、毛管スペース１８４の寸法が小さすぎると、周辺囲い１２６を囲む燃料材料３１１のたまり３５２が更なる液状化燃料をウィックに付与するのに十分に溶融される前の持続性再点火の際にウィック１０８上の炎３５４を維持するために毛管ウェル３５０に十分な燃料材料がないこともある。さらに、たとえば、毛管スペース１８４が大きすぎると、毛管ウェル３５０内の凝固した燃料材料３１１を介した熱伝達が緩慢すぎてウィック内の燃料材料が燃焼する前に液状化燃料をウィック１０８に付与するのに内部で燃料材料を十分に溶融させないこともある。いずれの状況においても、毛管スペース１８４の外側から、毛管ウェル３５０内に、ウィック１０８の上に流体燃料材料の略連続的な毛管動作を開始若しくは持続させて炎３５４に供給するために溜まり３５２における十分な量の燃料材料３１１の溶融前に、炎３５４が燃料切れとなって消火することもある。したがって、一実施の形態においてウィック１０８の再点火をうまく持続させるのに役立つために、十分な量の液状化燃料が、周辺囲い１２６に隣接した若しくは囲んだ凝固された燃料材料３１１のたまり３５２から形成されて毛管スペース１８４内の毛管作用によって連続的に炎３５４を供給するまで、毛管ウェル３５０は、溶融された燃料の量を再点火ウィック１０８に提供するのに十分な量よりも少ない量を有する。別の実施の形態では、毛管ウェル３５０の容積は、ウィックに装着された凝固した燃料材料３１１が燃焼した後で炎３５４からの熱が毛管スペース１８４に配置される凝固した燃料材料３１１を十分に早く溶融させて炎３５４を供給することができる容積よりも少ない。
【００３８】
さらなる実施の形態において、凝固した蝋のたまり３５２が十分に溶融してウィック１０８までの適切な燃料の流れをもたらして炎３５４の持続性燃焼を維持するまで十分な溶融した燃料源をウィックに提供するために、毛管ウェル３５０の容積がキャンドル・アセンブリ１００全体の熱量に比例する場合に再点火をうまく達成することができる。キャンドル・アセンブリ１００の熱質量は、測定された量だけ溶融プレートのキャンドル全体の温度を変化させるのに必要なエネルギーの量の測定単位であり、その部分の比熱によって増加されるキャンドル・アセンブリの各部分の質量の積の合計に等しい。実例として、再点火がうまく達成されるのは、キャンドル・アセンブリ全体の熱質量に対する毛管ウェル３５０の体積の割合が、約０．００００６立方インチ／カロリー／摂氏度（以下、ｉｎ３／ｃａｌ／°Ｃとする）（１ｍｍ３／ｃａｌ／°Ｃ）、及び約０．０００６ｉｎ３／ｃａｌ／°Ｃ（１０ｍｍ３／ｃａｌ／°Ｃ）の間、又は、約０．０００１ｉｎ３／ｃａｌ／°Ｃ（２ｍｍ３／ｃａｌ／°Ｃ）と約０．０００４ｉｎ３／ｃａｌ／°Ｃ（６ｍｍ３３／ｃａｌ／°Ｃ）との間、あるいは、約０．０００１８ｉｎ３／ｃａｌ／°Ｃ（３ｍｍ３／ｃａｌ／°Ｃ）と約０．０００２４ｉｎ３／ｃａｌ／°Ｃ（４ｍｍ３／ｃａｌ／°Ｃ）との間にある場合である。したがって、一実施の形態において、キャンドル・アセンブリの熱質量は、約１３５ｃａｌ／°Ｃと約１０ｃａｌ／°Ｃとの間、約７５ｃａｌ／°Ｃと約４０ｃａｌ／°Ｃとの間、又は、約６１ｃａｌ／°Ｃと約５０ｃａｌ／°Ｃとの間にあり、毛管ウェル３５０の体積は、約０．００６ｉｎ３（１００ｍｍ３）と約０．０３ｉｎ３（５００ｍｍ３）との間、又は、約０．００９ｉｎ３（１５０ｍｍ３）と約０．０１８ｉｎ３（３００ｍｍ３）との間、あるいは約０．０１２ｉｎ３（２００ｍｍ３）である。
【００３９】
たとえば、キャンドル・アセンブリ１００などの実施の形態の熱質量は、支持ベース１０２、溶融プレート２０２、及び組み合わせ熱質量が約５０ｃａｌ／°Ｃのウィック・ホルダ３００、及び、燃焼前の熱質量が約１０．５ｃａｌ／°Ｃの約０．５３オンス（１５ｇ）の蝋の燃料要素１１０を有する。毛管ペデスタル２０４は、高さｈ１が約０．３９インチ（１０ｍｍ）と約０．０４インチ（１ｍｍ）との間、若しくは約０．２インチ（５ｍｍ）、底部半径Φ１が約１．１８インチ（３０ｍｍ）と約０．３９インチ（１０ｍｍ）との間、若しくは約０．８３インチ（２１ｍｍ）、及び上部半径Φ２が約０．０４インチ（１ｍｍ）と約０．７９インチ（２０ｍｍ）との間、若しくは約０．４３インチ（１１ｍｍ）であるほぼフラストコニカル形状を有する。ベース１１６は、周辺囲い１２６を備えた毛管ペデスタルとほぼ相補的なフラストコニカル形状を有し、上部直径Φ３が約０．０８インチ（２ｍｍ）と約０．８３インチ（２１ｍｍ）との間、若しくは約０．４３インチ（１１ｍｍ）と約０．５５インチ（１４ｍｍ）との間、さらには約０．５１インチ（１３ｍｍ）であり、底部直径Φ４が約１．２２インチ（３１ｍｍ）と約０．４３インチ（１１ｍｍ）との間、若しくは約０．７９インチ（２０ｍｍ）と約０．９１インチ（２３ｍｍ）との間、さらには約０．８７インチ（２２ｍｍ）であり、高さｈ２が約０．４３インチ（１１ｍｍ）と約０．０８インチ（２ｍｍ）との間、若しくは０．２８インチ（７ｍｍ）と約０．１６インチ（４ｍｍ）との間、さらには約０．２インチ（５ｍｍ）であり、エンドプレート１２４からのリベット１２３の高さｈ３が約０．００４インチ（０．１ｍｍ）と約０．０４インチ（１ｍｍ）との間、若しくは約０．０３インチ（０．８ｍｍ）と約０．０２インチ（０．５ｍｍ）との間、さらには約０．０２インチ（０．６ｍｍ）である。別の実施の形態では、毛管ペデスタル２０４は、高さｈ１が約０．１８インチ（４．７ｍｍ）であり、底部半径Φ１が約０．８１インチ（２０．５ｍｍ）であり、上部半径Φ２が約０．４４インチ（１１．１ｍｍ）であり、ベース１２６は、上部直径Φ３が約０．５インチ（１２．６ｍｍ）、底部直径Φ４が約０．８５インチ（２１．６ｍｍ）、及び高さｈ２が約０．２インチ（５．０５ｍｍ）である囲い１２６を有する。ベース１１６が毛管ペデスタル２０４の最上部に設置されるとき、エンドプレート１２４は毛管ペデスタルの上部壁１７８から約０．０３インチ（０．６５ｍｍ）の垂直位置にあり、周辺囲い１２６は、側壁２０６から約０．０２インチ（０．３８ｍｍ）の垂直位置にあり、これにより約０．０１２ｉｎ３（２００ｍｍ３）の体積を有する毛管ウェル３５０を画定する。
【００４０】
図９を参照すると、別の態様による溶融プレート・キャンドル・アセンブリ４００は、ホルダ若しくはベース４０２と、ベースの凹部４０６内部に装着されたほぼ凹型溶融プレート４００を有するように示される。溶融プレートに載置する本明細書中に既に記載されたものと同様の固体燃料要素及びウィックホルダは、明確にするために図示されない。溶融プレート４０４は熱伝導性が高く、本明細書中に既に記載された他の溶融プレートと同様であり、中央に配置されたウィック位置においてそこから上方に突出する毛管ペデスタル４０８を有する。ベース４０２は、周囲に延出し、溶融プレート４０４から天頂角Θで角度的に外方に配置され、溶融プレートの上に配置される最上部エッジ４１２を有する壁４１０を有する。一態様において、ベース４０２及び溶融プレート４０４は、例えばウィック１０８などの芯に炎があるときなどの燃焼中に炎がたまりと密に近接して配置されるときに溶融した若しくは液状化した燃料のたまりの上に（無風の大気状態によって包囲されるときの）ほぼ層状の気流を増加若しくは促進するように適合される形状を有する。このような層状の気流は、溜まり上の渦電流を減少し、さらに／あるいは溜まり内の局部的熱点を減少若しくは最小限にすることによって溜まりの全体温度を制御し、このことは、芳香剤や殺虫剤などの燃料において活性の揮発性成分の気化を示し、それによって燃料が完全に燃焼されるまで燃料の有効な芳香期間を拡張する。燃料のすべてが溶融プレート・キャンドルの燃焼中に、溜まりにおいて液化されると、空気は凹部４０６内の壁４１０の上端４１２上のほぼ層状の流れにおいて毛管ペデスタル４０８上に配置されるウィック（図示せず）上の炎によって生じられる熱の排気筒若しくは上方気流による、熱溶融プレート４０４及び溶融された蝋などの液化燃料の溜まり上に引き込まれる。熱の排気筒から上昇する気流はまた、揮発された活性成分を周囲環境内に分配する。
【００４１】
一実施の形態において、ベース４０２及び溶融プレート４０４は、以下の方程式によって記載されるほぼ層状の気流を増加又は促進するための形状を有する。
【数１】
2009521785.tif 000003
ここで、
Ｐｍａｘは、ｍｍで示した溶融プレート４０４の最大幅である。
Ｐｍｉｎは、ｍｍで示した溶融プレート４０４の最小幅である。
ＳＡは、投影面積、又は、平方ｍｍによる溶融プレート４０４の輪郭の二次元投影の表面積である。
Ｈｍｉｎは、ｍｍで示した上端４１２の最小幅である。
Ｄｐは、ｍｍで示したベース４０２の上端４１２からの溶融プレート４０４の深さである。
Ｄｐｍａｘは、ｍｍによるＤｐに対する最大値である。
Ｒは、ｍｍによるベース４０２の上端の外径である。
θは、壁４１０の天頂角度である。
【００４２】
方程式１は、層状の気流を促進するために、上下の一定の境界線内で、溶融プレートの投影面積、及び溶融プレートの幅の近似関係を定量化する。方程式２は、層状の気流を促進するために、溶融プレート４０４の投影面積及びベース４０２の上端４１２からの溶融プレート４０４の深さの近似関係を定量化する。方程式３は、層状の気流を促進するために、溶融プレートを横切る最小溶融プレート、ベース４０２の上端４１２からの溶融プレート４１４の深さ、及びベース壁４１０の天頂角の近似関係を定量化する。方程式４は、層状の気流を促進するために、溶融プレート４０４とベース４０２のそれぞれの形状の関数として、上端４１２のベース４０２の近似最小幅を定量化する。これら方程式１から４がほぼ矩形状ベース及びホルダに関して記載されているが、こうした関係は、最適化キャンドル・アセンブリ形状にアプローチするために、楕円や円形などの他のキャンドル・アセンブリ形状で使用することもできる。たとえば、円形ベースと溶融プレート、例えば図４に示されるベース１０２と溶融プレート１０４を有する一実施の形態において、Ｈｍｉｎは約３．９４インチ（１００ｍｍ）、Ｐｍａｘ及びＰｍｉｎはともに約３．１５インチ（８０ｍｍ）に等しく、Ｄｐは約０．４インチ（１０ｍｍ）であり、Ｒは約０．０８インチ（２ｍｍ）であり、θは約４５°である。
【００４３】
図１０及び図１１はキャンドル・アセンブリ５００を示し、これはキャンドル・アセンブリ４００とほぼ同様であるが、キャンドル・アセンブリ５００は、溶融プレート５０４のベース部５０２との適切な位置合わせを確実にするための位置合わせ機構を有する。キャンドル・アセンブリ５００は、ベース部５０２、及び燃料要素１１０、ウィックホルダ１０６、ウィック１０８の組み合わせのような奉納ロウソクを支持するための溶融プレート５０４を有する。ベース部５０２は、ガラスやセラミックなどの熱透過率の低い不燃性材料から形成され、溶融プレートは、アルミニウムや他の金属などの熱透過率の高い不燃性材料から形成されるが、他の材料もまた使用され得る。ベース部は、その上端において、４つの直立した側壁５０８、及び側壁の上部リム５１２より下に離間された側壁にかかる内壁５１０によって画定される凹部５０６を有する。ベース５０２の底端部は、内壁５１０の下で中空である。側壁５０８及びベース５０２の底端部の特定の形状及び構造は、ほとんどいかなる形及び形式をとってもよく、本明細書中に記載された特定の形状に限定されないことは理解すべきである。受け皿若しくはボウル形状の溶融プレート５０４は、作動位置において凹部５０６に収容されるように、底面形状について凹部５０６にほぼ相補的な凹面にされる。溶融プレート５０４は、外周エッジ５１８と隣接した高くなった若しくは上方に湾曲した周辺部５１６と、本明細書中に既に記載されたのと同様にして中央位置に配置される奉納ロウソクを収容するための底壁５１８の中央部分から上方に突出する毛管ローブ５２０を備えたほぼ正方形のフットプリントを有する。ベース５０２の凹部５０６内の溶融プレート５０４の適切な位置合わせを保証するための位置合わせ機構は、例えば水平ステップ５２２などのショルダを有し、これは側壁の内側５２４から内方に突出し、凹部５０６の周囲全体に延出し、上記機構は例えば水平レッジ５２６などの相補的レッジ（出っ張り）を有し、これはショルダ上に載置する。レッジ５２６は溶融プレートの周囲に延出し、溶融プレート５０４の周囲エッジ５１８と底壁５１４との間に垂直に配置され、水平ステップ５２２上に載置し、周囲エッジが凹部５０６全体の周囲に側壁５０８の内側面５２４に対して押圧される。溶融プレート全体は、毛管ローブ５２０及び周囲エッジ５１８を有し、上側リム５１２の下に配置される。溶融プレート５０４は、凹部５０６内の内壁５１０の上に離間配置され、高くなった周囲端部５１６が側壁５０８の内面５２４に対して押圧され、毛管ローブ５２０は上方に突出する。溶融プレート５０４は、レッジ５２６とショルダー５２２との間に配置される接着剤１６６（図示せず）などの接着剤のビードでベース５０２に固定される。接着剤はまた、溶融された蝋又は他の液体が溶融プレートの下に漏出しないように、溶融プレート５０４の周囲エッジ５１８と、側壁５０８の内面５２４との間を密封することもある。他の実質的に相補的位置合わせ構成が、さらに若しくは代替的に位置合わせ機構のために使用されることもある。たとえば、ベース・ショルダは、１つ以上の離散的な離隔ステップ部を有するにすぎず、溶融プレート・レッジは、溶融プレートとベースとの間に１つの可能な適切な接合フィットのみをもたらすために連続的であり、あるいは、離散的レッジ部と適合してもよい。一実施の形態において、位置合わせ特徴は、溶融プレート５０４がベース５０２に対し所定の関係で設置されることを確実にするのに役立ち、その結果、溶融プレートの底壁５１４がほぼ水平であり内壁５１０の上に離間されて、キャンドル・アセンブリ４５０がレベル支持表面上に配置され溶融された蝋からベースへの熱損失を最小限にするときに溶融された蝋が毛管ローブの周囲にたまることを保証する。言うまでもなく、位置合わせ特徴は、例えば底壁５１４が内壁５１０と接触し、及び／又は底壁５１４が非水平角度に配置されるなどの他の位置合わせ構造において溶融プレートを凹部内に載置されるように容易に変更され得る。さらに別の実施の形態（図示せず）において、位置合わせ特徴は、ベース５０２と溶融プレート５０４との所定の位置合わせをもたらすために、溶融プレート５０４内の相補的レッジ若しくは空洞と係合する凹部５０６内のいずれかに配置される１つ以上の高くなった突出部を有することもある。さらに、これら突出部はベース５０２と一体的であってもよく、あるいは、空洞に設置される別個の物体、例えばワイヤやボタン（図示せず）などによって形成されてもよい。別の位置合わせ機構（図示せず）は、対向する相補的ショルダ若しくはレッジのないレッジ及びショルダの１つのみを有することがあり、レッジ又はショルダは、溶融プレートをベースに対し所定の位置合わせ若しくは配向に付勢する。
【００４４】
内壁５１０の中心領域から上方に突出する円形リング５３０などの、磁石５２８のためのリテーナ（保持）機能は、毛管ローブ５２０の下に溶融プレート５０４の底面に空洞５３２の下に配置される。リング５３０は、溶融プレートの底面と係合することなく空洞５３２内に上方に延出する。リング５３０は、磁石５２８のためのリテーナとしての働きをし、磁石５２８が溶融プレートから引き離されるような場合に、空洞５３２内部で溶融プレート５０４に接着される。一実施の形態において、リング５３０は、溶融された蝋からベースへの熱の損失を最小限にするために、溶融プレートの底面と係合しない、即ち離間されている。リテーナは図面に示される特定の円形リング形状に限定されず、毛管ローブ５２０より下の所定の位置に磁石５２８を保持するのに役立つ他の形状をとってもよい。たとえば、リテーナは、磁石５２８を部分的に囲む複数の離間された突出部であってもよく、磁石は、所定の向きにこれら離間された突出部とインターフィットするような形状とされてもよい。別の例では、リテーナは、ショルダ５２２及びレッジ５２６に加えて凹部５０６内で溶融プレート５０４と位置合わせするのに役立つように空洞５３２の底面と係合することもある。さらに、位置合わせ特徴及びリテーナ特徴は、ベース１０２及び円形溶融プレート１０４などの本明細書中に開示されるベースと溶融プレートの他の組み合わせとともに作用するように容易に適合されてもよく、本実施の形態の特定のベース及び溶融プレートに限定されない。
【００４５】
図１２から図１４は、キャンドル・アセンブリ６００の別の実施の形態を示す。キャンドル・アセンブリ６００は、支持ベース６０２、任意の光拡散器６０４、及び制御ユニット６０６を有する。一実施の形態において、ベース６０２は、既に記載されたベース１０２、４０２、及び５０２と同様若しくは同一であり、溶融プレート６０８は、先行する実施の形態と関連して再度記載されるようにベースに固定される。図示されてないが、磁石はペデスタル６１０及びウィック・クリップの下に配置され、ウィック及び燃料要素は、ペデスタル６１０上に着脱自在に配置され、磁石によって生じられる磁力によってそこに保持される。
【００４６】
別の実施の形態におけるベース６０２は、クリア若しくは透明ガラスから形成されるが、同一の若しくは異なる光学特性を有する他の材料を使用してもよい。
【００４７】
拡散器６０４（図１４）はベース６０２内に配置され、一実施の形態において、その凹部内にぴったりと一致するように適合する。拡散器６０４は、射出成形若しくは形成された半透明の熱可塑性物質から形成されてもよい。拡散器６０４が、結合に耐性のある、及び／又は同一若しくは異なる材料から構成される他の物体に対して非接着性であると考えられる材料から構成されるとき、幾何学的表面特徴部６０５は、例えばベース６０２を含む他の物体に拡散器を接着するために一般的及び／又は一般でない接着剤の使用を可能にするように拡散器に含まれてもよい。図１４から図１７を詳細に参照すると、拡散器６０４は、左手表面６１２から下方に垂下する一対のタブ６１０ａ、６１０ｂを有し、（本明細書中で使用されるような用語である、左側、右側、前方、後方、最上部、底部、上方、下方は、便宜的に種々の要素の相対的配置を意味するだけに使用され、制限的な意味ではどのようなものでも使用されない)。さらに、スロット６１４は拡散器６０４の右手側壁６１６の下部に配置される。右手壁６１６の下側エッジ６２４が制御ユニット６０６の支持表面６２６から上方に離間配置されるように拡散器６０４が傾斜され若しくは角度付けされた状態で、タブ６１０ａ、６１０ｂの曲げフランジ６２０ａ、６２０ｂをそれぞれ対応する凹部６２２ａ、６２２ｂ内にそれぞれ設置することによって、拡散器６０４が制御ユニット６０６上に取り付けられる。拡散器６０４は、右手壁６１６の下側エッジ６２４が支持表面６２６に向けて低くさせるように回転され、その結果、タブ６３０の外曲げフランジ６２８は、拡散器６０４の下部６３４の内側面６３２と干渉することによって、制御ユニット６０６の中心に向かって最終的に偏向される。拡散器６０４を連続的に下方に旋回させることにより、タブ６３０の外曲げフランジ６２８をスロット６１４に入り込ませ、その結果、拡散器６０４の右手壁６１６の下側エッジ６２４と、前面６４２、左手表面６１２、及び裏面６４４のそれぞれの下側エッジ６３６、６３８、６４０は支持表面６２６上に載置する。
【００４８】
拡散器６０４は、前面及び裏面 ６２２、６２４を内部に移動させることによって制御ユニット６０６から取り外され、それによって、少なくとも右手側壁６１６を外方に偏向させて、タブ６３０の外曲げフランジ６２８が下部６３４の内面６３２との干渉接触から移動されることになる。拡散器６０４は上方に回転され、タブ６１０ａ、６１０ｂが凹部６２２ａ、６２２ｂからそれぞれ取り外されることもある。
【００４９】
図１６及び図１７を詳細に参照すると、拡散器６０４は、上壁６５４の内面６５２から下方に垂下する中空の円筒状部材６５０をさらに有する。円筒状部材６５０は端部が閉鎖され、該部材６５０は内面６５２と向かい合い、その下端では端部が開放されている。一実施の形態において、円筒状部材６５０は、拡散器６０４と同一材料から製造され、一方若しくは両方が半透明か任意的に透明である。別の実施の形態において、必ずしもそうではないが、円筒状部材６５０の下側エッジ６５６は、制御ユニット６０６のバッテリーホルダ（図１４、図１５、図１８）の平坦面６６０と接触状態にある。あるいはまた、必要に応じて、拡散器６０４が制御ユニット６０６に取り付けられるとき、下側エッジ６５６は平坦面６６０から離隔されていることもある。
【００５０】
次に図１４、図１５、及び図１８から図２１を参照すると、バッテリーホルダ６６２は、４つのＡＡサイズのバッテリー６６４ａから６６４ｄを収容するための凹部を有する。必要に応じて、電気的必要性に応じてより多数の若しくはより少数のバッテリーが設けられることもある。
【００５１】
バッテリー６６４ａから６６４ｄは、第１のプリント回路基板６６６（図１８及び図１９）及び第２のプリント回路基板６６８（図１８、図２０、図２１）によって装着される電気構成要素に直列に接続される。
【００５２】
第１のプリント回路基板６６６は、多数の電気構成要素をその上に装着し、ＬＥＤアセンブリ６７０を有する（簡単さである目的のために図示されない、プリント回路基板６６６によって装着される電気構成要素の残り）。図１８及び図１９を特に参照すると、第１のプリント回路基板６６６は凹部６７２（図１９）内にスナップ嵌め込みされ、クリップ６７４ａ、６７４ｂ（図１４、図１８、図１９ではクリップ６７４ａは見られ、クリップ６７４ｂは図１５において見られる）によって内部に保持される。詳細には、第１のプリント回路基板６６６は、エッジ６７６ａ、６７６ｂがクリップ６７４ａ、６７４ｂの内曲げフランジ６７８ａ、６７８ｂと干渉するまで凹部６７２内に上方に挿入される。プリント回路基板６６６のエッジ６７６ａ、６７６ｂが、クリップ６７４ａ、６７４ｂが元の位置に戻ったところの内曲げフランジ６７８ａ、６７８ｂを取り除くまで、プリント回路基板６６６の連続した上方動作によりクリップ６７４ａ、６７４ｂが押し上げられ、それによって、バッテリーホルダ６６２の中心平坦面６８０の下面６７９と、クリップ６７４ａ、６７４ｂの内曲げフランジ６７８ａ、６７８ｂの間にプリント回路基板６６６を閉じ込める。第１のプリント回路基板６６６がこのように取り付けられるとき、ＬＥＤ６７０は、バッテリーホルダ６６２の中心平坦面６８０を通って延出する開口６８４内に位置付けられる。
【００５３】
一実施の形態において、ＬＥＤ６７０は、密接して離間配置される赤、緑、及び青の発光ダイオードを有する。ＬＥＤ６７０は、スペクトル成分及び／又は強度を変化させながら光を生成するために以下により詳細に記載される方法で通電される。この光は、このような光が観察者に可視されるように、円筒状部材６５０、拡散器６０４の残り部分、及びベース６０２を介して透過される。さらに一実施の形態において、それぞれのＬＥＤ６７０に供給される電流は、このようなＬＥＤ６７０に特定の大きさの光強度を発現させるために制御される。多くの方法論がそれぞれのＬＥＤ６７０に供給される電流量を制御するために存在する一方で、別の実施の形態では、パルス幅変調（ＰＷＭ）動作が、バッテリードレインを最小化するために使用される。
【００５４】
図２０及び図２１に詳細に示されるように、第２のプリント回路基板６６８はそれぞれスタンドオフ６９２ａ、６９２ｂに対するネジ６９０ａ、６９２ｂによって取り付けられる。ショルダ・タブ６９３（図１９から図２１）は、スタンドオフ（絶縁体）６９２ａ、６９２ｂに対して第２のプリント回路基板６６８の配置を維持するのに役立つ。スタンドオフ６９２は次に、アンカープレート６９４と一体化されるか又は固定され、このアンカープレートはまた、制御ユニット６０６のハウジング６９８の前方側壁６９６と一体成形されるか又は固定される。第１から第４のスイッチ７００ａ−７００ｄは、第２のプリント回路基板６６８によって装着され、それぞれボタン７０２ａ‐７０２ｄ（図１２から図１５、図１８、図２０、及び図２１）によって接触可能な作動部材を有する。ボタン７０２ａ‐７０２ｄの１つを押し下げることにより、それぞれ関連付けられたスイッチ７００ａ−７００ｄの１つを終了させる。
【００５５】
それぞれワッシャ７１１ａ−７１１ｄを介してバッテリーホルダ６６２と一体化若しくは固定されるねじ込みボス７１２ａから７１２ｄ内を延出する一連の４つのネジ７１０ａ−７１０ｄによって、バッテリーホルダ６６２は、ハウジング６９８内部に保持される。組立て中に、外曲げフランジ６２８が図１４に示された位置になるまで対向する中空部材７１６ａ、７１６ｂ（図１８及び図１９）によって部分的に画定されるスロット７１４内を延出するように、バッテリーホルダ６６２がハウジング６９８内に挿入され、それと同時に下面７１８（図１９）が、外曲げフランジ６２８（図１８、図２０、図２１）の内部７２２の上部エッジ７２０上に載置する。ネジ７１０ａから７１０ｄは次に、ハウジング６９８の開口内を通って、位置合わせされたネジ込みボス７１２ａから７１２ｄ内に挿入され、図１４に示される位置にバッテリーホルダ６６２を固定するように締め付けられる。
【００５６】
次に図１８から図２１を参照すると、スピーカ７３０は好適な手段によってハウジング６９８に取り付けられ、図１９に詳細に示されるように、一連の開口がハウジング６９８の下面７３４の中心部分７３２に設けられる。
【００５７】
制御ユニット・ハウジング６９８は４つの脚部７４０ａ−７４０ｄ（図１３及び図１９）を更に有し、キャンドル・アセンブリ６００を支持し、支持表面から部分７３２の底部を離隔し、スピーカ７３０によって出される音声がキャンドル・アセンブリ６００より下から漏れる可能性がある。
【００５８】
図２２から図３０は、キャンドル・アセンブリ９００の別の実施の形態を示す。キャンドル・アセンブリ９００は、溶融プレート９０３が固定された支持ベース９０２、任意の光拡散体９０４（取り外しできるものでも、できないものでもよい）、及び制御ユニット９０６を有し、これらは、図１２から図２３の実施の形態に関して詳細に記載されるものと同一若しくは同様である。図１２から図２１、図４５、及び図５０のものと同一であるキャンドル・アセンブリ９００の特徴は、本明細書中で更に詳述されない。
【００５９】
拡散器９０４（図２３）はベース９０２内に配置され、一実施の形態において、その凹部にぴったり一致するように嵌め込む。図２３及び図２４を詳細に参照すると、拡散器９０４は左手側壁９１２から下方に垂下する一対のタブ９１０ａ、９１０ｂを有する（この場合も同様に、本明細書中に使用される用語としての左、右、前面、裏面、最上部、底部、上下は、種々の要素の相対的配置を注記するためにのみ便宜上使用され、いずれにしても制限的な意味では使用されない）。さらに、図２５に示されるように、くぼみ９１４は、拡散器９０４の右手側壁９１６の下部の内面９１５に配置される。拡散器９０４は、右手側壁９１６の下側エッジ９２４が制御ユニット９０６の支持表面９２６から離れて上方に離隔されるように拡散器９０４が傾斜され若しくは角度付けされた状態で、それぞれ対応する凹部９２２ａ、９２２ｂ内にそれぞれタブ９１０ａ、９１０ｂの外曲げフランジ９２０ａ、９２０ｂを取り付けることによって制御ユニット９０６に取り付けられる。拡散器９０４は、右手側壁９１６の下側エッジ９２４が支持表面９２６に向けて降下されるように回転され、その結果、タブ９３０の外曲げフランジ９２８（図２３) が拡散器９０４の下部９３４の内面９３２と干渉することによって制御ユニット９０６の中心に向かって最終的に偏向される。代替的に、あるいはこれに加えて、右手側壁９１６それ自体の部分は外方に偏向してフランジ９２８と拡散器９０４を相対的に移動可能にする。拡散器９０４を連続して下方に旋回させることにより、タブ９３０の外曲げフランジ９２８をくぼみ９１４に挿入させ、その結果、拡散器９０４の右手側壁９１６の下側エッジ９２４と、前面壁９４２の下側エッジ９３６、９３８、９４０、左手側壁９１２と、後部壁９４４は支持表面９２６上に載置する。この実施の形態の拡散器９０４が制御ユニット９０６から容易に取り外されるように設計されていないことを理解されたい。
【００６０】
次に図２６及び図２７を参照すると、バッテリーホルダ９６２は、制御ユニット９０６の底部９６３に配置され、４つのＡＡサイズのバッテリー９６４ａ−９６４ｄを収容するための凹部を有する。バッテリー９６４ａ−９６４ｄは、バッテリードア９６５内の制御ユニット９０６の底部９６３を介してのみ接近可能である。図２６Ａに示すように、バッテリードア９６５は、第１及び第２の延出部９６７ａ、９６７ｂが制御ユニット９０６内で第１及び第２の凹部９６９ａ、９６９ｂ内に延出するように、バッテリードア９６５を傾斜させることによって制御ユニット９０６に取り付けられる。その後、バッテリードア９６５は、該バッテリードア９６５の可撓部分９７３がバッテリードア９６５から延出するタブ９７７ａ、９７７ｂの外曲げフランジ９７５ａ、９７５ｂが制御ユニット９０６内の対応する凹部９７９ａ、９７９ｂに載置するまで内側に屈曲するように制御ユニット９０６と接触した状態で回転される。バッテリードア９６５を取り外してバッテリー９６４ａ−９６４ｄなどを交換するときに、上方に延出するタブ９８１は内側に押圧され、それによって可撓部分９７３を内側に屈曲させ、凹部９７９ａ、９７９ｂから離れてタブ９７７ａ、９７７ｂを引き出し、バッテリードア９６５の取り外しを可能にする。
【００６１】
上記に述べたように、より多数の又はより少数のバッテリーを電気的要求事項に応じて設けてもよい。バッテリー９６４ａ−９６４ｄは、第１のプリント回路基板９６６（図１８及び図１９）及び第２のプリント回路基板９６８（図１８、図２０、図２１）によって装着される電気構成要素に連続して共に接続される。
【００６２】
第１のプリント回路基板９６６は多数の電気構成要素をその上に装着し、ＬＥＤアセンブリ９７０を有する（簡単さのために図示されないプリント回路基板９６６によって装着される電気構成要素の残り）。特に図２８を参照して、組立ての間に、第１のプリント回路基板９６６は、開口９７４ａ、９７４ｂを介して２つのネジ９７２ａ、９７２ｂを挿入することによって制御ユニット９０６に取り付けられ、ネジ９７２ａ、９７２ｂは、制御ユニット９０６から上方に延出するねじ込みボス９７６ａ、９７６ｂ内に延出する。第１のプリント回路基板９６６がこのように取り付けられるとき、ＬＥＤ９７０は、制御ユニット９０６のカバー部９８２の中央平坦部９８０を延出する開口９７８内に位置付けられる。ＬＥＤ９７０は同じ色を発光し、図１２から図２１、図４５、及び図５０の実施の形態に関して記載された同じ方法で離隔され通電されてもよい。
【００６３】
図２８及び図２９においてさらに理解されるように、制御ユニット９０６のカバー部９８２は、ワッシャ９８５ａ−９８５ｄを介して、それぞれ底部９６３に一体化若しくは固定されるネジ込みボス９８６ａ−９８６ｄ内に延出する一連の４つのねじ９８４ａ−９８４ｄによって制御ユニット９０６の底部９６３上に保持される。
【００６４】
第２のプリント回路基板９６８は、図２９において詳細に示され、それぞれスタンドオフ９９２ａ及び９９２ｂに対してネジ９９０ａ及び９９０ｂによって取り付けられる。スタンドオフ９９２ａ、９９２ｂは、アンカープレ−ト９９３と一体化又は固定される。第２のプリント回路基板９６８の第１及び第２の下側角部９９４ａ、９９４ｂは、制御ユニット９０６に形成される第１及び第２のスロット９９６ａ、９９６ｂに挿入されて、第２のプリント回路基板９６８を保持する。第１及び第２のスイッチ１０００ａ−１０００ｄは第２のプリント回路基板９６８によって装着され、それぞれボタン１００２ａ−１００２ｄによって接触可能な作動部材を有する。第１のボタン１００２ａ、１００２ｂを押し下げることによって、それぞれ対応付けられるスイッチ１０００ａ、１０００ｂを終了させる。第１のボタン１００２ａを押し下げることによって、キャンドル・アセンブリ９００のライトショー・モードを起動且つ選択し、上記に詳述されたように、種々のモードをスクロールした後でライトショーを作動不能にする。第２のボタン１００２ｂがライトショーにおけるカラー・モーフィングを一時停止若しくは中断することによって、現在表示されている色を維持する。第２のボタン１０２ｂを押し下げることによって、選択されたライトショーモードの動作を再開する。
【００６５】
図３１及び図３２はキャンドル・アセンブリ１１００のさらにもう一つの実施の形態を示し、これは光や音声を発することができるが、両方を同時にすることはできない。具体的には、図３１及び図３２の実施の形態は、ボタン１１０４ａ、１１０４ｂの動作に応答して領域１１０２（図３２）において図１２から図２１、図４５、及び図５０の実施の形態に示される方法で光を生成させるために回路構成及びＬＥＤを有する。ボタン９０４ａが押し下げられると、キャンドルホルダ１１００内のＬＥＤの通電をもたらし、一方で、ボタン１１０４ｂの動作によって、ＬＥＤが、図１２から図２１、図４５、及び図５０に関連して上記したモードのような異なる通電モードで点灯される。
【００６６】
当然ながら、図３１及び図３２のＬＥＤ及び回路構成の代わりにスピーカー及び適切な回路を使用することによって、こうした図面の実施の形態は、例えば図１２から図２１、図４５及び図５０の実施の形態に記載されるような、キャンドル・アセンブリ１１００に光ではなく音声を出させるように変更することもできる。さらに、本明細書中に記載される電子部品を制御するために要求されるように構成、ならびに多数のスイッチ及び／又はボタンを使用してもよい。たとえば、光と音声の両方を発するように構成されるキャンドル・アセンブリ１１００は、制御ユニット９０６の底部９６３（あるいは他のどこかの部分）に配置される３つの制御（図示せず）を有するように構成されることもできる。１つの制御、即ち、オン／オフ・スイッチとポテンショメータとの組み合わせは、サウンドショーをオン及びオフに切り替え、音量を調節するために使用することもできる。第１のボタンは、ライトショーをオン及びオフに切り替え種々のライトショーの１つを選択可能にするために設けられる（複数のライトショーを表示する能力が設けられる場合）。適切なプログラミングによって、第１のボタンはまた、選択されたシーケンスによって作動されて、コマンドをプロセッサに提供し、選択されたライトショーを一時中断する。（例えば、第１のボタンは、ライトショーモードを選択するために最初にそのボタンを押す第１の期間内で特定の時間だけ押し下げられ、その後、ライトショーを一時中断するために第１の期間の後に更なる時間押し下げられてもよい。第１のボタンのさらに別の押し下げはライトショーを再開することもあり、第１のボタンの次の押し下げは異なるライトショーモードの選択を可能にし、あるいはライトショーを停止させることもできる。）第２のボタンは、サウンドショーモードをスクロールするために設けられる。制御、スイッチ及び／又はボタンはさらに、キャンドル・アセンブリ１１００上の所望の位置に設置することもできる。
【００６７】
次に図３３から図３８Ａを参照すると、キャンドル・アセンブリ１２００は、ウィック１２０８を貫通配置した燃料材料１２１１で充てんされ、レフィル・ホルダ１２１６上に配置されるキャンドル・レフィルを有する。レフィル・ホルダ１２１６は、制御ユニット１２０６上に配置される拡散器１２１４の上面に隣接して配置される。制御ユニット１２０６は、上記で示され記載された同様の電子部品を有し、このような同様の電子部品についてはこれ以上示したり記載することはしない。光許容性若しくは半透明のシース（覆い）１２３０は、制御ユニット１２０６に載置し、キャンドル・レフィル１２０２、レフィル・ホルダ１２１６、及び拡散器１２１４を包囲する。３つのＬＥＤ（図示せず）は、制御ユニット１２０６の上面の穴部又は切抜き１２３６に、あるいはそれより上に設置される。さらに、ロック及びキー機構、即ち、雌要素１２２４及び雄要素１２２６は、キャンドル・レフィル１２０２に対し制御ユニット１２０６を位置合わせする。本実施の形態において、ロック及びキー機構は、レフィル・ホルダ１２１６の上面上に形成される雄要素１２２６に相補的なキャンドル・レフィル１２０２の底面上の雌要素１２２４を有する。雌要素１２２４及び雄要素１２２６を一致させることは、ウィック１２０８上に配置される炎１２５４を制御ユニット１２０６内に配置される電子部品に動作可能に結合させるための後述される機構を機能的に位置合わせする働きをすることもできる。ロック及びキー機構はキャンドル・アセンブリ１２００の種々の構成要素と必ずしも位置合わせする必要がなく、さらに／あるいはキャンドル・アセンブリ（例えば、図３８を参照）に組み込まれないとき、４オンスのガラス製奉納キャンドル・レフィル１２０２がキャンドル・アセンブリ１２００とともに使用され得る。種々の形状及びサイズを有する他のガラス製奉納キャンドルもまた、キャンドル・アセンブリ１２００、即ち、Ｓ．Ｃ．ジョンソン・アンド・サン（Ｓ．Ｃ．Ｊｏｈｎｓｏｎ ａｎｄ Ｓｏｎ）によって製造されるものとともに使用されてもよい。
【００６８】
図３３及び図３６を参照すると、ウィック１２０８上に配置される炎１２５４の存在を検出するための実施の形態が示される。キャンドル・アセンブリ１２００は、ウィック１２０８に沿って配置される光ファイバ１２０４を備えたキャンドル・レフィル１２０２を有する。炎１２５４から発せられる方向Ａに移動する光が光ファイバ１２０４によってレフィル１２０２の底部に方向付けられるように、光ファイバ１２０４が位置付けられる。光は、方向Ｂに光ファイバ１２０４から発光され、レフィル１２０２の底部において光経路を通過する。光経路を通過する光は、感光性センサ１２１０などの光センサによって検出される。光経路は、例えばクリア若しくは透明のガラスや、つや消し、着色、及び／又は半透明キャンドル・レフィル１２０２の非つや消し部分及び／又は非着色部分、あるいは他の光許容性媒体でもよい。一実施の形態において、炎１２５４が燃料１２１１を融解すると、燃料、ウィック１２０８、及び／又は光ファイバ１２０４は、燃料のレベルが減少するとウィックと光ファイバとが互いに対して作動上の空間的関係が維持されるように、同じ割合で消耗されて（図示せず）、これにより、光ファイバはキャンドル・レフィル１２０２の寿命にわたって、ウィック上の炎からの光を感光性センサ１２１０に向けることになる。
【００６９】
図示されない他の実施の形態において、光ファイバ１２０４は、ウィック１２０８と織り合わされてもよい。さらに、光ファイバ１２０４は、サーモクロマチック・インク（図示せず）が塗布されて、周辺光が感光性センサ１２１０に移動されたり該センサによって検出されることを抑制若しくは禁止する。この実施の形態において、サーモクロマチック・インクは、第１の温度以下（例えば約１４０°Ｆから約１２０°Ｆ）にあるときに光を通さない若しくは吸収する色を有し、光ファイバ１２０４に塗布若しくは付着される。ウィック１２０８の点火時に、炎１２５４はサーモクロマチック・インクを第１の温度より高い第２の温度まで加熱し、サーモクロマチック・インクを光を通さない若しくは吸収する色から、光が光ファイバ１２０４を通過できるようにする色（例えばクリアカラー）に変化させる。この実施の形態において、サーモクロマチック・インクが炎１２５４からの十分な熱に露出されるとき、光は光ファイバ１２０４を介して感光性センサ１２１０へと移動することもある。本発明において有用なサーモクロマチック・インクは、例えば、米国特許出願公開番号第２００４／０１６０７６４号に記載されるそれらを有する。本発明において有用な更なるサーモクロマチック・インクは、例えば、米国特許出願公開番号第２００５／００２４８５９号において記載されるそれらを有する。さらに、本発明において有用なサーモクロマチック・インクは、例えば、マツイ・インターナショナル社から市販されているクロミカラー（Ｃｈｒｏｍｉｃｏｌｏｒ；登録商標）を有する。更なる実施の形態において、ウィック１２０８は、光を感光性センサ１２１０に移動させるクリアなマイクロ蝋（例えばポリエチレン及び／又はポリプロピレン）シース（図示せず）を有することもある。
【００７０】
代替的実施の形態として、図３６に示される実施の形態と同様に、感光性センサ１２１０は、図３４及び図３７において理解されるように、配置される炎１２５４を直接検出するようにウィック１２０８に対してこのように近接して設置される。ここで、感光性センサ１２１０は、ウィック１２０８に作動中近接して（例えば、キャンドル・レフィル１２０２の壁１２２２の最上部１２２８に若しくはその上に）配置される。感光性センサ１２１０は、炎１２５４から発せられる方向Ｃ（例えば）を有する光が感光性センサ１２１０によって検出されるように、位置付けられる。
【００７１】
図３５及び図３８に示される別の実施の形態は、キャンドル・アセンブリ１２００を示し、ウィック１２０８に隣接して配置されキャンドル・レフィル１２０２のベースまで延出する、約１．５インチの直径を有する光透過クリアジェル・キャンドルコア１２３２を有するキャンドル・レフィル１２０２を有する。炎から発せられる方向Ａを有する光は、クリア（透明）ジェル・キャンドルコア１２３２によってレフィル１２０２の底部へと伝達され、方向Ｂにおけるレフィル１２０２の底部内の光経路を通過する。光経路を通過する光は、電子ベース１２０６上若しくはその内部に配置される感光性センサ１２１０によって検出され、制御ユニット１２０６内の電気部品を作動及び／又は動作不能にする。一実施の形態において、最初に使用した後に、クリアジェル・キャンドルコア１２３２及び蝋１２１１構成要素は共に混合し、キャンドル・レフィル１２０２の上部が冷却されているとき（図示せず）凝固すると同時に不透明なフィルムを形成する。不透明なフィルムは、光がクリアジェル・キャンドルコア１２３２を通過することを抑制又は阻止することによって、制御ユニット１２０６内の電子部品を動作不能にする。光を通さない蝋フィルム（図示せず）は、使用前に周辺光が電気部品を起動させることを防止するために、製造作業中にキャンドル・レフィル１２０２の最上部に付着される可能性がある。本発明に有効な光透過性クリアジェル・キャンドルコア材料は、米国特許第６，８２７，４７４号に記載されるものを有する。本発明に有効な更なる光許容性材料は、米国特許第６，０５０，８１２号に記載されるものを有する。
【００７２】
感光性センサ１２１０は、種々の電気部品を起動又は使用可能にするために、コネクタ１２１２（例えば当業者周知の電線又は他のデバイス）を介して制御ユニット１２０６内の電気部品に接続される。光通信技術の組合せにより、例えば、光ファイバ１２０４、及びクリアジェル・コア１２３２、及び感光性センサ１２１０によって、制御ユニット１２０６内の電気部品は、キャンドルが点火若しくは点火されてないときに動作可能に結合され、制御ユニット１２０６内の電気部品を作動及び／又は動作不能にし、本明細書中に開示された別個のスイッチ機構によって電気部品を作動可能にするために使用され得る。光ファイバ１２０４と感光性センサ１２１０との組み合わせの不連続的構造性質は、制御ユニット１２０６が複数のキャンドル・レフィル１２０２で再利用であることを可能にする。
【００７３】
実施の形態において、感光性センサ１２１０がキャンドル・レフィル１２０２の一体部分であるとき、例えば、図３７を参照すると、コネクタ１２１２は不連続であり、一部１２１２ａが感光性センサ１２１０から伸びてレフィル１２０２の底部で連結インタフェース１２１８に接続する。連結インタフェース１２１８は、制御ユニット１２０６と一体的若しくは取り付けられる拡散器１２１４上に配置されるレフィル・ホルダ１２１６内若しくはその上に対応する連結インタフェース１２２０と接続する。制御ユニット１２０６内の感光性センサ１２１０及び電気部品品の接続を完了させるために、制御ユニット１２０６上の連結インタフェース１２２０は、拡散器１２１４と対応付けられる他のコネクタ部分１２１２ｂを介して制御ユニット１２０６に動作可能に接続される。
【００７４】
図３８Ａに示される別の実施の形態において、キャンドル・アセンブリ１２００は、例えば、太い円柱形のロウソクの形状のキャンドル・レフィル１２６０を有する。キャンドル・レフィル１２６０は、ウィック１２０８、及び本明細書中の他の部分に記載されたものと同様の光伝達及び／又は熱伝達要素１２７４（例えば、光ファイバ、光パイプ、サーミスタ、及び／又は導電ワイヤなど）を有する。この実施の形態において、ロック及びキー機構が、相補的ネジ付き雌要素１２６４に対応するネジ付き雄要素１２６６の形状をとり得ることが想定される。実例として、たとえば、ネジ付き雌要素１２６４を備えたキャンドル・レフィル１２６０は、制御ユニット１２０６のネジ付き雄要素１２６６上と結合されてもよい。さらに、例えば感光性センサ及び／又はヒートセンサを有する炎検出センサ１２１０はネジ付き雄要素上に配置されてウィック１２０８上の炎１２５４の存在を検出する。更なる実施の形態において、ＬＥＤ（図示せず）は、ネジ付き雄要素１２６６内及び／又はその上に配置される。
【００７５】
感光性センサ１２１０がキャンドル・レフィルの一部でない場合、例えば、感光性センサがシース１２３０（図示せず）に取り付けられ又はその上に配置される場合、コネクタ１２１２は、制御ユニット１２０６内の感光性センサ１２１０から電気部品に対し連続的でもよい。感光性センサ１２１０に加えて、あるいはその代わりに、他のヒートセンサ、光センサ、及び／又は熱感光性センサを使用してもよい。たとえば、本発明に有用な熱及び／又は感光性センサは、米国特許第６，４９１，５１６号に記載されるそれらを有する。本発明に有用な他の感光性センサは、例えば、バナー・エンジニアリング（Ｂａｎｎｅｒ  Ｅｎｇｉｎｅｅｒｉｎｇ  Ｃｏ.）から市販されているＭＩＮＩ−ＢＥＡＭ（登録商標）光電センサ（例えば、モデル番号ＳＭＥ３１２のすべてのバリエイション）などを有する。本発明に有用な光センサの例は、例えば日本特許第ＪＰ４０８１８５７１０Ａに記載されるそれらを有する。本発明に有用な光ファイバ及び感光性センサは、例えば米国特許出願公開番号第２００５／０１１１２１７号に記載されるそれらを有する。本発明に有用な更なる光ファイバ及び感光性センサは、例えば米国特許第５，８０７，０９６号に記載されるそれらを有する。本発明に有用な更なる光ファイバ及び感光性センサは、例えば米国特許第６，０３３，２０９号に記載されるそれらを有する。本発明に有用な更なる感光性センサは、例えば米国特許第６，４６８，０７１号に記載されるそれらを有する。本発明に有用な光ファイバ及び感光性センサは、例えば米国特許出願公開番号第２００２／０１１９４１３号に記載されるそれらを有する。本発明に有用な更なる光ファイバ及び感光性センサは、例えば米国特許出願公開番号第２００５／００９３８３４号に記載されるそれらを有する。本発明に有用な更なる光ファイバ及び感光性センサは、例えば米国特許第４，８０４，３２３号に記載されるそれらを有する。本発明に有用な更なる光ファイバ及び感光性のセンサは、例えば米国特許第４，４７７，２４９号に記載されるそれらを有する。本発明に有用な更なる光ファイバ及び感光性のセンサは、例えば米国特許第５，９２１，７６７号に記載されるそれらを有する。本発明に有用な更なる感光性センサは、米国特許第６，０５０，８１２号に記載されるそれらを有する。
【００７６】
ここで図３９から図４３を参照すると、キャンドル・アセンブリ１３００は支持ベース１３１６を有し、これは、例えば、溶融プレート１３０４を支持するガラス、樹脂、ポリマー、金属、木、岩石、中空材料、多孔質材料、液体充てん材料などから構成され、電気部品（図示されないが上記したものと同様である）を収容する制御ユニット１３０６の上部に配置される。拡散器１３２２は支持ベース１３１６の下に配置される。溶融プレート１３０４上で、ウィック・ホルダ１３１４は、炎１３５４が配置されるウィック１３０８を保持する。電気部品によって制御される３つのＬＥＤ（図示されないが既述されている）は、制御ユニット１３０６の上面の穴部若しくは切り抜き１３３６に若しくはその上に配置される。
【００７７】
図３９から図４３に示される実施の形態では、炎１３５４をキャンドル・アセンブリ１３００内の電気部品に動作可能に結合する。キャンドル・アセンブリ１３００は、炎及び／又はヒート（熱）センサ１３１０を有し、これは、コネクタ１３１２（例えば、支持ベース１３１６に取り付けられる導電性ワイヤ）を介して、支持ベース１３１６で取り付けられる接続インタフェース１３１３に動作可能に接続される。ヒートセンサ１３１０及び制御ユニット１３０６内の電気部品間の接続を完了させるために、接続インタフェース１３１３は、制御ユニット１３０６の電気部品にコネクタ１３１７によって動作可能に連結される相補的接続インタフェース１３１５に連結する。
【００７８】
図３９に示した実施の形態は、キャンドル・アセンブリ１３００内に溶融プレート１３０４から熱伝達されるヒートセンサ１３１０を組み込む。ヒートセンサ１３１０は、ウィック１３０８上の炎１３５４の存在によって溶融プレートの温度の上昇を検出する。ヒートセンサ１３１０による熱の検出により、制御ユニット１３０６内に配置される電気部品が起動又は実施可能にされることになる。いったん炎１３５４が消されると、溶融プレート１３０４が冷却し、ヒートセンサ１３１０を動作不能若しくは電気部品を使用不能にさせる。ヒートセンサ１３１０の例は、サーミスタ、ホール効果センサ及び／又はリード・スイッチなどが挙げられるが、これらに限定されない。
【００７９】
別の実施の形態において、図４０に示すように、キャンドル・アセンブリ１３００は、ホール効果センサなどのヒートセンサ１３１０を組み込み、ヒートセンサ１３１０に隣接して配置される磁石１３２８の熱の変化に対応付けられる磁場の変化を検出する。ヒートセンサ１３１０は、制御ユニット１３０６内の電気部品を作動し、動作不能にし、使用可能にし、及び／又は使用不能にする。この実施の形態において、単一の磁石１３２８はウィック・ホルダ１３１４を保持する働きをすると同時に、電気部品の制御に炎１３５４を連結するためにヒートセンサ１３１０と組み合わせた働きをすることがある。炎１３５４と直接的若しくは間接的に熱伝導する状態にある更なる磁石が、炎を電気部品と動作可能に連結するためにヒートセンサ１３１０とともに使用され得ることは想定される。更なる実施の形態において、ホール効果センサ１３１０は、ウィック・ホルダ１３１４の存在を検出するために使用され得る。たとえば、ウィック・ホルダ１３１４がキャンドル・アセンブリ１３００に無い場合、ホール効果センサ１３１０は磁石１３２８の変更された磁場によるウィックホルダの欠如を検出できることもある。ウィックホルダ１３１４の欠如は、制御ユニット１３０６の電気部品に報知されることもあり、これにより、燃料要素を交換することを思い出させるためにユーザに聴覚的及び／又は視覚的注意をもたらすこともできる。
【００８０】
図３９及び図４０に示される実施の形態と同様に、図４１は、ヒートセンサ１３１０を炎１３５４若しくは磁石１３２８により近く位置付けるように穴部１３３８を有する支持プレート１３２０（例えば、ガラス製）から構成されるキャンドル・アセンブリ１３００を示し、熱の変化、若しくは炎に応答する磁石の磁力の変化に対するヒートセンサの感度が上昇する結果となる。
【００８１】
本発明に有用な熱感度センサは、例えば米国特許第５，０１５，１７５号に記載されるそれらを有する。本発明に有用な更なるヒートセンサは、例えば米国特許第４，９８３，１１９号に記載されるそれらを有する。本発明に有用な更なる熱感度センサは、例えば米国特許第５，０５７，００５号に記載されるそれらを有する。
【００８２】
制御ユニット１３０６内における電気部品の起動、動作不能、使用可能、及び／又は使用不能により、炎１３５４を動作可能に連結する別の機構が図４２に示される。ここで、キャンドル・アセンブリ１３００は、溶融プレート１３０４より下に取り付けられ、光電センサ１３２４と熱連通状態にあるサーモクロマチック・ストリップ１３１８を具備する。ウィック１３０８を点火すると、溶融可能な燃料（図示せず）が溶解され溶融プレート１３０４を満たす。溶解した燃料からの熱は、サーモクロマチック・ストリップ１３１８を第１の色から第２の色に変化させる。サーモクロマチック・ストリップ１３１８の第１の色（例えば、約１００°Ｆ以下、又は約１１０°Ｆ以下、又は約１２０°Ｆ以下、又は約１３０°Ｆ以下、又は約１４０°Ｆ以下、又は約１５０°Ｆ以下の温度）から第２の色（例えば、約１００°Ｆ以上、又は約１１０°Ｆ以上、又は約１２０°Ｆ以上、又は約１３０°Ｆ以上、又は約１４０°Ｆ以上、又は約１５０°Ｆ以上の温度）への変化は、光電センサ１３２４によって検出される。光電センサ１３２４は、サーモクロマチック・ストリップ１３１８に向かって方向ＤにＬＥＤ１３２５から、光ビーム（例えば赤外線若しくは可視光ビーム）を発光する。サーモクロマチック・ストリップ１３１８から方向Ｅに反射される光の色は、光電センサ１３２４内の光電セル１３２７（例えばフォトレジスタ及び／又はフォトダイオード）によって検出される。コネクタ１３１２は、制御ユニット１３０６内で光電センサ１３２４を電気部品に接続する。図４４に示したものと同様の実施の形態において、溶融プレート１３０４は支持プレート１３２０の表面から形成され、サーモクロマチック・ストリップ１３１８は支持ベース１３１６に一体的な支持プレートの下側に直接取り付けられ、サーモクロマチック・ストリップがガラス製の支持プレートと熱連通する状態になる。必要であれば、周辺光からの干渉を軽減するために、発光ビームは主波長（例えば青色スペクトル）を有するように変調されることもある。代替的に、フルスペクトル光源は、主波長を有する発光ビームを得るために、適切な色の追加の光学フィルタ（図示せず）とともに使用することもある。
【００８３】
炎を本明細書中に記載した種々の電気部品の起動に動作可能に連結するための上記の機構が、炎が存在するとき及び／又は事前選択温度（例えば、約１００°Ｆ以上、又は約１１０°Ｆ以上、又は約１２０°Ｆ以上、又は約１３０°Ｆ以上、又は約１４０°Ｆ以上、又は約１５０°Ｆ以上の温度）に到達するときのみ１つ以上の電気部品が作動可能であるように、バッテリー寿命を最大化する更なる機能を有し得ることが想定される。さらに、キャンドル・アセンブリが、動作可能に炎を電気部品の起動に連結するための機構を具備しているとき、光及び音声のそれぞれのスイッチ（例えば図１８の７００ｃ、７００ｄ、及び７０２ｃ、７０２ｄ）は取り外されてもよく、ボタンの音声レベルセットのみが製品（例えば図１８の例えば７００ａ、７００ｂ、及び７０２ａ、７０２ｂ）上に残存する可能性があることが想定される。
【００８４】
ロック及びキー機構の他の例は、図４３に示される。ここで、キャンドル・アセンブリ１３００は、毛管ローブ１３３４の下で溶融プレート１３０４の底面のキャビティ１３３２内に配置される第１の極性を有する第１の磁石１３２８を有する。上記したことと同様に支持ベース１３１６より下であって制御ユニット１３０６の上には、第２の極性を有する第２の磁石を備えた光拡散器１３２２、又は、その光拡散体の表面に配置される鉄材料１３３０が配置されている。第１の磁石１３２８の第１の極性、及び第２の磁石若しくは鉄材料１３３０の第２の極性は、支持ベース１３１６を制御ユニット１３０６に固定するそれらの間に引力を有するような方向付けとされている。この固定システムは、ユーザが清浄化のための支持ベースを取り外し、組立てミスのリスクなしに制御ユニット１３０６上でそれを置き換えることを可能にする。
【００８５】
次に図４４を参照すると、図３９から図４３に示されたキャンドル・アセンブリ１３００と同様のキャンドル・アセンブリ１４００が、上記したものと同様に制御ユニット１４０６に組み込まれた電気通信リンク１４０２を有し、このことは、ユーザに、制御ユニットの上面若しくはその上で穴１４３６を通って配置されるＬＥＤ（図示されてないが既述された）からの光効果、及び／又は制御ユニット内に保持されたスピーカ１４３０穴から発せられる音声効果などの制御ユニットに対応付けられる電気部品を再プログラムを許す。この実施の形態において、溶融プレート１４０４は、支持プレート１４２０の表面から形成される。さらに、溶融プレートが本明細書中に記載されるように溶融プレートの動作を十分に容易化する任意の材料から形成され得ることが想定される。
【００８６】
電気通信リンク１４０２を介して制御ユニット１４０６と対応付けられる電気部品の再プログラムは、例えばユーザの家で、インターネット上で、売り場において（例えば再プログラミング・キオスクやディスプレイ・シェルフ装置）、及び／又はリモート位置からのように当業者周知の方法で実施され得る。図示されないが本実施の形態で使用するために想定される、電気通信リンクの例として、例えば、リムーバブル・データ記憶媒体、ケーブル、ＵＳＢポート、高周波センサ、赤外線センサ、ブルートゥース使用可能リンク、誘導通信リンク、音響スイッチ、振動検出スイッチ、フォノ・ジャック（例えばアイポッド（ｉＰｏｄ（登録商標））若しくは他のポータブルデバイスを接続するためのもの）が挙げられ、さらに／あるいは、制御ユニットは制御ユニット１４０６の再プログラミングを容易化するためにドッキング・ベイに取り外し可能に入れられることもある。リンク１４０２を含めることにより、季節ごとの再プログラミング（例えばクリスマス・サウンドと光のテーマ、若しくはハロウィーン・サウンドと光のテーマを再プログラムすること）を可能にし、消費者にキャンドルを補充することを思い出させる働きをする。任意のサウンド又はライトショーは、例えば、話し言葉、言語レッスン、テープに録音した本、及び／又は詩集を含むプログラミングに対して想定される。制御ユニットがプロセッサを使用してライト及び／又はサウンド・ショーを作動するので、一般のインタフェース（例えば、本明細書に記載されたもの）は、ライト及び／又はサウンド・ショーを制御する電気部品及びソフトウェアに組み込まれることがある。さらに、電気通信リンク１４０２を介して制御ユニットとの電気接続を設定し、さらに／あるいはボタン・シーケンスを押すことにより、ダウンロードや新しいライト／サウンド・プログラムを利用可能にするインタフェース・シーケンスを開始することが可能であることが想定される。ソフトウェアベースのアプリケーション・プログラムが、例えば、パーソナル・ディジタル・アシスタント、パーソナル・コンピュータ、若しくは他のデバイスを用いて電気通信リンクを介して制御ユニットに入力される可能性がある個人化されたライト及び／又はサウンド・ショー・プログラムをユーザに作成させるように設けられることもまた想定される。さらに、電気通信リンク１４０２は、その動作を容易化するために、キャンドル・アセンブリ１４００上の任意の好都合な位置に設置されてもよい。
【００８７】
図５４に示される別の実施の形態において、キャンドル・アセンブリ１３００は、制御ユニット１３０６の電気部品（図示せず）の再プログラミングを可能にするために通信リンクとして使用され得るホール効果センサ１３１０を有する。この実施の形態において、ユーザは、溶融プレート１３０４の毛管ローブ１３３４上にコネクタ１３８０を介してコンピュータ及び／又は同様の装置（図示せず）に接続されるウィックホルダ形状変換器（トランスデューサ）１３６０を設置する。通信伝達的方法で（例えば、２進法で）磁場を変更させることによって、情報は制御ユニット１３０６の電気部品に送られて、キャンドル・アセンブリ１３００のライト及び／又はサウンド効果を制御する符号化プログラムを再プログラム（例えば、追加、削除、及び／又は変更）する。
【００８８】
別の実施形態において、再充電式バッテリ及び／又はＡＣアダプタは、本明細書中に記載される電気部品に動力を供給するために含まれることもできる。
【００８９】
さらに別の実施の形態において、キャンドル・アセンブリ（図示せず）は液体内に設置されてもよく、このキャンドル・アセンブリは液体の表面上を浮遊する。この実施の形態に対して、液体は、例えば、池水、湖水、浴槽水、水や他の液体の容器などを有することが想定される。
【００９０】
別の実施の形態において、例えば異なる香油及び／又は芳香剤を組み込んだ複数の燃料要素を組み入れたキャンドル・アセンブリ（図示せず）が想定される。こうした複数の燃料要素はモジュール式でもよく、例えば、それらは１つの燃料要素を形成するために一緒に組み立てられることもできる。燃料要素がモジュール式であるとき、特定の割合の異なる香料の燃料要素が組み合わされて、燃料要素が同時に燃焼されるときの特定の香り及び／又は香料のブレンドを達成し得ることも想定される。さらに、キャンドル・アセンブリは、複数の燃料要素を収容するために複数のウィックホルダを有することもできる。後者の実施の形態では、例えば、消費者は、香りのブレンドを生成するために同じキャンドル・アセンブリにおいて異なるウィック・ホルダ上に同時に異なる香りの燃料要素を燃焼させることを選択することもできる。複数の異なる香りの燃料要素を含むキットをユーザが事前選択された燃料要素の組み合わせとして使用したり、ユーザに個人的な好みによって個人化された香料のブレンドを生成させるために利用可能であることがさらに想定される。
【００９１】
別の実施の形態において、例えば外部ハードドライブ、ＰＤＡ、携帯電話、フラッシュデバイス、コンパクトフラッシュ（登録商標）メモリカード、及び／又は制御ユニット内で着脱可能に設置されたメモリスティックを有する取り外し可能データ記憶媒体（図示せず）は、制御ユニット１４０６のライト及び／又はサウンド・ショーのバリエイションを提供するために使用され得る。取り外し可能データ記憶媒体は、製造時に設置される制御ユニットのメモリと組み合わせて使用されることができ、制御ユニットのメモリを増大させて制御ユニットのライト及び／又はサウンド・ショーの数及び／又は複雑さを増加させる。さらに、取り外し可能データ記憶媒体は、例えば、話し言葉、語学の授業、詩集、ホリディライト及び／又はサウンド・ショー、ポピュラーカルチャーライト及び／又はサウンド・ショー（例えば、映画や他のポピュラーイベントに対応付けられるもの）、国際的なライト及び／又はサウンド・ショー、カルチャー特定ライト及び／又はサウンド・ショーなどを有する符号化された考えられるタイプのサウンド及び／又はライト情報を有することがある。取り外し可能データ記憶媒体は、パーソナル・コンピュータや当業者周知の他の方法を介してライト及び／又はサウンド・ショーで再プログラム化されることもある。このようなショーが取り外し可能データ記憶媒体上で再プログラム化されたり、さらに／あるいは、この取り外し可能データ記憶媒体が、無料で１つ以上のソースから、ダウンロードに対し手数料を徴収して、あるいは加入サービスを介して、ショー及び／又はライト及び／又はサウンド・テーマを組み込むために選択的に変更されることがある。
【００９２】
本明細書中に記載される実施の形態の種々の組み合わせが、例えば、異なる構成及び／又はキットにおいて消費者に利用可能であり得ることは想定される。こうした構成及び／又はキットは、例えば、燃料要素レフィル、キャンドル・ジャー・レフィル、取り外し可能データ記憶媒体、命令、ソフトウェアベースのアプリケーションプログラム（例えば、既述されたそれらを含む）、バッテリー、交換部品、さらには、ディーキャル、ペイント、スティッカー、文字、番号、数字やこれらの組み合わせを有するカスタマイズ可能な要素を有することもできる。さらに、想定される構成及び／又はキットは、ホリディ・テーマ、イベント・テーマ（例えば、誕生日、特別な日、スポーツイベント、映画、及び他の大衆娯楽）、個人化テーマなどを有することもある。これらキットは、完成したキャンドル・アセンブリ、及びキャンドル・アセンブリと対応付けられる付属品を有することもあり、さらに／あるいは、キットは、キャンドル・アセンブリの個々の部品（例えば、溶融プレート、バッテリー、燃料要素、取り外し可能データ記憶媒体など）に方向付けられることを対象にすることもある。
【００９３】
種々の電気部品の起動に動作可能に炎を連結するための本明細書中に開示される種々の機構が、記載されたキャンドル・アセンブリの１つ若しくはそのバリエイションに組み込まれるように構成され得ることは想定される。たとえば、ここで図４５から図４９を参照すると、プリント回路基板６６６及び６６８上の構成要素（図１８から図２１に示され、電子部品を収容するために制御ユニットを有する本明細書中に記載されるすべての実施の形態の代表）は、図示したような一般的な方法でスピーカ７３０及びバッテリー６６４ａ−６６４ｄ（図１４及び図１５を参照）と相互接続される。プリント回路基板６６６及び６６８上に配置される回路構成は、プロセッサ８００（図４５から図４９を参照）を有し、このプロセッサは、例えばホルテック・セミコンダクター社（Ｈｏｌｔｅｋ  Ｓｅｍｉｃｏｎｄｕｃｔｏｒ  Ｉｎｃ．）製造による部品番号がＨＴ８６１９２であるマイクロプロセッサでもよい。プロセッサ８００はスイッチ７００ａ−７００ｄ若しくは後述される補助スイッチの作動に応答するようにプログラムされてもよく、ＬＥＤ６７０（グリーンＬＥＤ６７０ａ、レッドＬＥＤ６７０ｂ、及びブルーＬＥＤ６７０ｃを有する）を選択的に点灯させ、さらに／あるいはスピーカ７３０を介してディジタル式に符号化された音声を再生することになる。一実施の形態において、スイッチ７００ｃが一時的に閉じられると、プロセッサ８００に以下により詳細に記載される４つの動作モードの１つにおいてＬＥＤ６７０を作動させる。スイッチ７００ｄが一時的に閉じられるとき、プロセッサ８００は、４つの音声パターンの１つを再生するためにスピーカ７３０に転送されるアナログ波形を構築する。スイッチ７００ａ又は７００ｂを閉じることにより、スピーカ７３０によって再生される音量がそれぞれ増減される。
【００９４】
プロセッサ８００は、一実施の形態において、一連の接続電池６６４ａ−６６４ｄによって生成される複合電圧が所定レベルよりも低下するときを決定する検出回路８０２にさらに応答する。
【００９５】
次に図４６を参照すると、回路構成に組み込まれる補助スイッチは、感光性センサ１２１０及び／又はヒートセンサ１３１０を有する。ＬＥＤ６７０の選択的な点灯を制御し、さらに／あるいはスイッチ７００ａ−７００ｄ及び検出回路８０２と協働してスピーカ７３０を介してディジタル式に符号化された音声を再生するために、感光性センサ１２１０及び／又はヒートセンサ１３１０は、プロセッサ８００を介して制御ユニットの電気部品と相互接続する。
【００９６】
熱及び／又は光検出方法に加えて、音声検出センサ、例えばクラッパ（Ｃｌａｐｐｅｒ（登録商標））音響作動スイッチは、制御ユニット１２０６内で電気部品を起動及び／又は動作不能にするために開示された光検出スイッチ方法を含む、本明細書に開示された実施の形態のいずれとも関係なく、あるいはそれと関連して使用することもできる。可能な音声検出センサは、電子フィルタ（例えばＡＳＩＣ及び／又はディジタル信号プロセッサ）や、電気部品の他の組み合わせと機能的に連結されるマイクロフォンを有する可能性がある。機能的には、音声検出機構は、前の設定からのライト及び／又はサウンド・ショーを再開し、あるいは電流の選択をオン／オフにすることがある。別の実施の形態において、連続符号化音声シーケンスは、それぞれのスイッチ７００ａ−７００ｄの動作をシミュレートすることになる。本発明に有用な音響スイッチは、例えば米国特許第５，４９３，６１８号に記載されたそれらを有する。更なる有用な音響スイッチは、例えば米国特許第５，６１５，２７１号に記載されたそれらを有する。
【００９７】
一実施の形態において、音声検出センサ１８００は、図４７に図示したように図４６のそれに類似した方法でプロセッサ８００と相互接続する。一実施の形態において、当業者周知のソフトウェアは、音声検出を実施し、図示された音声検出ボックス１８０２は信号調整器（図示せず）及びアナログ／ディジタル変換器（図示せず）から構成されることになる。
【００９８】
図４８において、図４２に示した実施の形態に対する回路構成の簡略化された概略ブロック図が示される。ここで、光電センサ１３２４は、支持プレート１３２０を通過する方向ＤにＬＥＤ１３２５から光のビームを発光し、サーモクロマチック・ストリップ１３１８で方向Ｅに反射される。反射光は、スイッチ７００ａ−７００ｄ、及び検出回路８０２と関連してプロセッサ８００を協働的に調整する光電センサ１３２４内で光電セル１３２７によって検出される。
【００９９】
図４９は、光及び／又はサウンド・ショーのプログラムを変更するべく電子通信リンクを介してプロセッサの再プログラミングを可能にするために、電子通信リンク１４０２をプロセッサ８００と相互接続させることを示す。
【０１００】
図５０から図５３のフローチャートは、格納されるプログラミングの実行に応答するプロセッサ８００の動作を示す。ブロック８１０は、スリープモード及び／又は動作のパワーセービング・モードを実施し、それによって、バッテリーが交換され適切な電圧がそのバッテリーによって生成されているときを検出するための回路構成を除いて、プロセッサ８００のほとんどの機能が停止される。この動作はブロック８１２によって示され、バッテリー電圧が低いかどうかを判断するために検査する。バッテリー電圧が低い場合、複合バッテリー電圧が所定レベルを上回るまで、制御はブロック８１０に戻る。いったん複合バッテリー電圧が所定レベルを上回ると、一連のブロック８１４、８１６、８１８、及び８２０は、ボタン７０２ａ−７０２ｄの１つが押されたかどうかを判断するために検査する。ブロック８１４、８１６、８１８、８２０のどれかが、ボタン７０２ａ−７０２ｄの１つが押されたと判断した場合、制御はそれぞれ一連のブロック８２２、８２４、８２６、又は８２８の１つに移行する。具体的には、ブロック８１４がサウンド・ボタンが７０２ｄが押されたと判断する場合、ブロック８２２はプロセッサ８００に格納されるテーブルに従って符号化された音響効果を出す。ブロック８１６がライト・ボタン７０２ｃが押されたと判断する場合、ライト効果、即ち、プロセッサ８００に格納されるテーブルによって決定されるようなライト・ショーがＬＥＤ６７０を適切に稼動させることによって表示される。
【０１０１】
サウンドボタン及びライトボタン７０２ｄ及び７０２ｃは、プロセッサ８００に異なる音響効果と照明効果、ならびに音なし及び光なしの条件を進ませるように作動する。一実施の形態において、照明効果は、特定の照明効果の選択が特定の音響効果の選択を結果としてもたらさない、あるいはその逆であるという意味において音響効果とは関係ない。一実施の形態において、サウンド・ボタン７０２ｄのそれぞれの一時的な押し下げは、プロセッサ８００を以下のように作動させる。
ノーサウンド＝＞サウンド１＝＞サウンド２＝＞サウンド３＝＞ノーサウンド
同様に、ライトボタン７０２ｃの多数の一時的な押し下げにより、プロセッサ８００に以下のシーケンスを進ませる。
ノーライト＝＞ライトシーケンス１＝＞ライトシーケンス２＝＞ライトシーケンス３＝＞ライトシーケンス４＝＞ノーライト
【０１０２】
プロセッサが等しい数のサウンド及びライトのシーケンスを必要としないことに留意されたい。さらに、より多数の若しくは少数のサウンド及びライトのシーケンスがあってもよい。
【０１０３】
音量アップボタン７０２ａ又は音量ダウンボタン７０２ｄが押されたと判断された場合、ブロック８２６及び８２８は、それぞれスピーカ７３０から発する音のレベルを増減する。
【０１０４】
ブロック８２２、８２４、８２６又は８２８からの制御はブロック８３０に移行し、キャンドル・アセンブリ制御ユニット６０６が所定の時間、例えば３時間にわたって作動中であるかどうかを判断するために検査する。その場合であると考えられる場合、制御はブロック８１０に戻る。そうでない場合、ブロック８３２は、音声と光の機能がともにオフ状態であるかどうかを判断するために検査する。その場合であると考えられる場合、制御はブロック８１０に戻り、そうでない場合、制御はブロック８１２に移行し、バッテリー６６４の複合電圧が所定レベルより上にあるかどうか判断するために検査する。
【０１０５】
一実施の形態において、ＬＥＤ６７０は、ユーザによって個々に選択され得る複数のライトショーを提供するために作動される。たとえば、各々のＬＥＤ６７０ａ−６７０ｃは特定の時間に２５６の離散的電流レベルの１つを受けることもでき、結果的に特定のＬＥＤ６７０によって発光される色に対する２５６の光強度レベルの１つをその時間に発現させることになる。ＬＥＤ６７０が小さく、互いに密接に離隔配置され、それによって発生される光が拡散されるので、人間の目は、ＬＥＤ６７０によって発光される個々の色に対して色の組み合わせを知覚する。したがって、このような実施の形態において、ＬＥＤは、ほぼ１６７０万の色を表示することができる。明らかに、異なる通電スキームが使用されることによって、必要であれば、より多数の若しくはより少数の色（無数の色を含む）が表示されることもある。
【０１０６】
実例として、プロセッサ８００は、特定の数のライトショーを表示するようにプログラムされてもよく、これらライトショーは、特定の色が表示されるまで、ボタン７０２ｃを押すことによって個別に選択可能であり、所望のライトショーが選択されたことを示す。その後、表示された色が１つの色から次の色に変化若しくは「モーフィング」するようにライトショーが自動的に進行してもよく、それらの色の間にトランジションが発生する。たとえば、赤みがかったオレンジ色は、最初に、７秒間にわたって表示され、続いてオレンジ色に移行し、次に黄色／オレンジ色に移行し、赤みがかったオレンジ色に戻る。それぞれの色は持続する期間、例えば１４秒にわたって表示されることもあり、１０秒の移行間隔は１４秒の期間の間に発生してもよい。ＬＥＤの強度は、開始レベルと終了レベルとの間の移行間隔の際の時間にわたって線形又は非線形に変化されることもあり、開始レベル及び終了レベルは、それぞれ１４秒間の間に色の表示を行なう結果となる。さらに、必要に応じて、この１４秒の表示期間は異なる期間を有してもよく、実際には、期間中の長さが一定であったり変化したりすることもある。さらに、１０秒の間隔は持続期間においてより短いか、又は、より長くてもよく、間隔が一定であり若しくは変化することもある。さらなる例として、オレンジ色は、最初の６秒間隔に対して表示されてもよく、その後、６秒間は色が薄くなって黄色が１２秒間にわたって維持される。その後、色あせ（フェード）は、１２秒間維持される緑色に対して６秒間にわたって引き起こされる。順に青色及びピンク色の１２秒間の色維持期間に対する更なる６秒間のフェードの次に、６秒間のオレンジ色への６秒間のフェードが生じることもあり、サイクル全体が繰り返す。任意の数の色の他のモーフィングが必要であれば行なうこともできる。
【０１０７】
ユーザは、カラー・モーフィングを一時停止若しくは終了する手段が設けられてもよく、それにより、一次停止／終了ボタンを押すことによって現在表示されている色を維持する。たとえば、２つのボタンは、最初にユーザによって押されたときにライトショーを起動し、それぞれ次に押すことでライトショーからライトショーへとスクロールするように構成される第１のボタンが設けられている。最終のライトショー・モードまで進んだあとに第１のボタンを押すと、ライトショーを動作不能にする。第２のボタンは、ライトショーのカラー・モーフィングの間に押される場合、カラー・モーフィングは現在表示された色で一時停止又は終了されるように、構成されることがある。第２のボタンがさらに押されると、ライトショー及びカラー・モーフィングは、ライトショーが一時停止されたり、若しくは終了された時点から継続してもよい。一時中断若しくは終了モードの際に第１のボタンを押すことにより、連続したカラーモーフィングのある次のライトショーに光効果を進めたり、あるいは、光効果が最終ライトショーモードで作動している場合、光効果を終了させることもできる。
【０１０８】
図５１のフローチャートは、後述される、サーモクロマチック・ストリップを組み入れた実施の形態を除き、光検出センサ（図３３から図３８）を組み込んだ実施の形態に対してプロセッサ８００によって実行されるプログラミングを示す。図５０とは異なり、ブロック８３４は、ブロック８１２及び８１４の間に入り、ロウソクが点灯されているかどうかを判断する。ロウソクが点灯されていない場合、制御はブロック８１０に戻る。そうでなければ、ロウソクが点灯され、ブロック８１４、８１６、８１８又は８２０の１つがボタン７０２ａ−７０２ｄの１つが押されたことを判断すると、制御は、一連のブロック８２２、８２４、８２６又は８２８の１つに移行する。ロウソクが点灯され、ブロック８１４、８１６、８１８又は８２０のいずれも、ボタン７０２ａ−７０２ｄの１つが押されたことを判断しない場合、制御はブロック８３２に移行する。
【０１０９】
図５２のフローチャートは、ライトショー及び／又はサウンドショーの制御時における音声検出センサの動作を示す。ブロック８３６は、リモート「オン」要求（例えば可聴コマンド又は他の音声信号）が発生したかどうかを判断する。
リモート「オン」要求が発生すると、制御はブロック８４０に移行し、最後のライト及び／又はサウンド・ショーを復元し、あるいはユーザによって前プログラム化若しくは選択され得るデフォルトのライトショー及び／又はサウンドショーを開始させる。リモート要求「オン」が発生しなかった場合、制御はブロック８３８に移行し、リモート要求「オフ」が発生したかどうかを判断する。リモート要求「オフ」が発生すると、制御は８１０に戻る。リモート要求「オフ」が発生しなかった場合、制御はブロック８３０に移行する。さらに、ブロック８１４、８１６、８１８又は８２０のいずれも、ボタン７０２ａ−７０２ｄの１つが押されたと判断しない場合、制御は、図５０にあるようなブロック８１０ではなくブロック８３６に移行する。
【０１１０】
図５３のフローチャートは、ヒートセンサ（例えば上記したもの）の動作とともに、サーモクロマチック・ストリップ１３１８と組み合わせて使用される感光性センサ１３２４の動作を示す。このフローチャートは図５０と類似しているが、次の点が相違する、即ち、ブロック８１４、８１６、８１８又は８２０のいずれもボタン７０２ａ−７０２ｄの１つが押されたことを判断しない場合、制御はブロック８３０に戻り、システムが１０分間にわたって動作中であった（ライトショー及び／又はサウンドショーを行なっていた）かどうか判断する。１０分の動作が生じなかった場合、制御はブロック８３２に戻る。ブロック８３２は制御ボタンが押されたかどうかを決定し、そうでなければ制御はブロック８１０に戻り、もうそうならば、制御はブロック８１２に戻る。ブロック８３０によって判断されたように１０分間の動作が発生すると、制御はブロック８３４に戻り、ロウソクが点灯されたかどうかの状態について検査する。ロウソクが点灯されると、制御はブロック８３２に戻り、そうでなければ、制御はブロック８１０に戻る。この１０分間動作のタイムアウト特徴は例えば、一例として提供され、このタイムアウト時間が炎センサ若しくは他の制御機構と関連して制御ユニットの所望の動作に対して適切な時間の長さであり得ることが想定される。
【０１１１】
図３９から図４３に示された実施の形態と同様に、図５５から図５９は、溶融プレート２００４を支持し、制御ユニット２００６の上に配置される支持ベース２００２を有するキャンドル・アセンブリ２０００の更なる実施の形態を示し、電気部品（図示されないが上記したものと同様である）を収納する。支持ベース２００２の下であって、制御ユニット２００６の上に配置される半透明拡散器２００８は、電気部品によって制御されるマルチカラーＬＥＤ２０１０から発光される光を拡散する。一実施の形態において、マルチカラーＬＥＤ２０１０は、３色ＬＥＤであればよい。制御ユニット２００６の側面に配置される制御ボタン２０１２ａ及び２０１２ｂは電気部品に動作可能に接続されて３色ＬＥＤ２０１０から発せられるライトショーを制御する。本発明に有用な３色ＬＥＤの例は、ツェンワン、香港に所在があるウェイトロニー社（Ｗａｉｔｒｏｎｙ  Ｃｏ．，Ｌｔｄ．）から入手可能なものを有する。本発明に有用なマルチカラーＬＥＤは、広角度光分散などの特性を有するものと、キャンドル・アセンブリ２０００内のグロー効果を生成するように可視のホットスポットの発生を軽減する薄い色のついたプラスチックカバーを有する。
【０１１２】
図５６及び図５７は、図５５のキャンドル・アセンブリの平面図及び底面部をそれぞれ示す。図５６は、制御ユニット２００６の上部中央に配置された支持ベース２００２を示す。制御ユニット２００６は４つの脚部２０１４ａ−２０１４ｄ（図５７）を更に有し、これらは、キャンドル・アセンブリ２０００を支持し、支持表面から制御ユニットの底面２０１６を離隔させる。制御ユニット２００６の底面２０１６は、電気部品及び３色ＬＥＤ２０１０に動力を供給するバッテリーに接近可能とする（後述）バッテリードア２０１８を有する。
【０１１３】
図５８は、拡散器２００８及び３色ＬＥＤ２０１０を明らかにする部分的に分解されたキャンドル・アセンブリ２０００を示す。拡散器２００８は、例えば支持ベース２００２を有する他の物体に拡散器を接着するために接着剤の使用を可能にする上面２０２２に切抜き部分２０２０のような表面幾何学的特徴を有する。拡散器２００８は、外曲げフランジ２０２６（フランジ２０２６ａ及び２０２６ｂのみが示され、図５９に２０２６ｃが示される）をそれぞれ有するタブ２０２４ａ、２０２４ｂ、及び２０２４ｃ（２０２４ｃは図５９に見られる）を更に有する。タブ２０２４ａ、２０２４ｂ、及び２０２４ｃ、及びフランジは、制御ユニット２００６の凹面２０３０内で対応するスロット２０２８ａ、２０２８ｂ、２０２８ｃに挿入されて、既述されたのと同様な方法で拡散器２００８を制御ユニット２００６に取り付ける。第４のタブ、フランジ、及びスロットは、図示が省略される。３色ＬＥＤ２０１０は、制御ユニット２００６の上面２０３４より上で切抜き２０３２を通して配置される。
【０１１４】
図５９を参照すると、支持ベース２００２の底部２０３６は、制御ユニット２００６の凹面２０３０に載置する。支持ベース２００２は、接着剤、若しくは他の適切な方法によって拡散器２００８に取り付けることができる。拡散器２００８（任意の中央の拡散コアなしで示される）は、制御ユニット２００６の凹面２０３０の下に吊るされる外曲げフランジ２０２６ａ、２０２６ｂ、及び２０２６ｃを用いて制御ユニット２００６に固定される。３色ＬＥＤ２０１０はホルダ２０３８によって支持され、制御ユニット２００６内に保持される電気部品２０４０まで切抜き２０３２を通って延出する。電気部品２０４０の下に配置されるバッテリーホルダ２０４２はバッテリードア２０１８を介して接近可能であり、バッテリーは明確にするために省略される。さらに、電力コードは、制御ユニットに動力を供給するためにバッテリーの代わりに、若しくはバッテリーに加えて使用することもできる。
【０１１５】
既に記載された実施の形態と操作上同様に、制御ユニット２００６の電気部品２０４０は特定数のライトショーを表示するようにプログラムされてもよく、特定の色が表示されるまで、ライトショーは制御ボタン２０１２ａを押すことによって個々に選択可能であり、所望のライトショーが選択されたことを示す。その後、表示された色が、１つの色から次の色に変化又は「モーフィング」するように自動的に進行し、それらの間にトランジションが発生する。変化し得る可能なライトショーの例を表１に示す。
【０１１６】
【表１】
2009521785.tif 000004
【０１１７】
前述のとおり、それぞれの色は、４秒から５秒持続する期間にわたって表示され、８秒から１０秒のトランジション間隔が４秒から５秒のそれぞれの期間の間に発生することがある。さらに、特定の色の組み合わせ又は色の組み合わせ間のトランジションを維持するための持続期間は短かったり長かったりすることがある。ＬＥＤの強度は、開始レベル及び終了レベル間のトランジション間隔の時間にわたって線形的若しくは非線形的に変化されることがあり、開始レベル及び終了レベルは、それぞれ４秒から５秒の期間の間に色を表示する結果となる。それぞれのライトショーのサイクルの完了と同時に、サイクル全体が繰り返す。例えばランダムパターンを有する任意の数の色の他のモーフィングは、要求に応じて行なうこともできる。
【０１１８】
制御ボタン２０１２ａは、制御ユニットを起動し、選択し、動作不能にする。ユーザには、カラーモーフィングを一時停止若しくは終了する手段がさらに与えられ、それにより一時停止ボタン若しくは終了ボタン２０１２ｂを押すことによって現在表示されている色を維持する。実例として、ライトショーは、２０１２ａがユーザによって最初に押されるとき起動され、ライトショーからライトショーへの連続するスクローリングは、各連続する押し動作がライトショーを動作不能にし制御ユニットがスリープモードに戻るときに、最終ライトショーに到達するまで、それぞれ各連続する押し動作とともに発生する。第２のボタン２０１２ｂは、ライトショーのカラーモーフィングの間に押されると、カラーモーフィングが現在表示された色で一時停止若しくは終了されるように、構成される。第２のボタンがさらに押されると、ライトショー及びカラーモーフィングはライトショーが一時停止されたり、又はライトショーが終了された地点から継続することができる。一時停止モード若しくは終了モードにおいて第１のボタンの押し動作は、カラーモーフィングを継続した状態で次のライトショーに対する照明効果を向上させることもでき、照明効果が最後のライトショーモードで作動中である場合、照明効果は終了されることもある。いったん起動されると、ライトショーは、ユーザがライトショーを停止させるまで、又はバッテリーパワーの残りがなくなるまで、又はタイムアウト制限に達するまで、例えば、１時間の前プログラム化持続期間に連続的にサイクル動作をすることもできる。
【０１１９】
既に論じられた機能的システム図と同様に、図６０は図５５から図５９に示される実施の形態に含まれる電気部品の機能的な相互接続性を図示する。たとえば、適切な容量とタイプである１つ以上のバッテリー２０４４ａ、２０４４ｂ、２０４４ｃ、及び２０４４ｄは、ディジタル処理ユニット２０４６（例えば、プログラム可能マイクロプロセッサ又は特定用途向け集積回路（ＡＳＩＣ））に電力を供給する。バッテリーによって供給された電力は、必要に応じて調整されることもあり、バッテリー反転保護装置として作動するダイオード２０４８を介して供給されることもある。ダイオード２０４８は、１つ以上のバッテリー２０４４ａ、２０４４ｂ、２０４４ｃ、及び２０４４ｄが反対向きにバッテリーホルダ２０４２に挿入される場合、処理装置２０４６及び／又は他の部品をダメージから保護する。ディジタル処理ユニット２０４６は、制御ボタン２０１２ａ及び２０１２ｂを押すと同時に３色ＬＥＤ２０１０によって発せられる１つ以上のライトショーを実施するために、例えば、ＰＷＭ発生器、ランプドライバ、及びパターン記憶／プログラム記憶能力を有することもできる。この点に関して、処理装置２０４６は、ライン２０４７ｒ、２０４７ｇ、２０４７ｂによってＬＥＤ２０１０の赤、緑、青の端末に結合される３つの独立した出力端末と、ＬＥＤの共通端末にライン２０４７ｃによって連結される第４の端末を有し、ＬＥＤの赤、緑、及び青の部分は個別に制御することができる。
【０１２０】
本明細書中で使用される専門用語が制限的であるよりむしろ本質的な記載であることが意図されると理解される。本明細書中に記載される種々のキャンドル・アセンブリの各種部品は、組み立てユニットとして、部品全て若しくは一部を有する組立て前のキットとして、個々の構成要素として、及び／又はそれらの組み合わせとしてパッケージ化されてもよい。種々のキャンドル・アセンブリの本明細書中に記載された構成要素の異なる種々の組み合わせは、本明細書中に記載された装置、方法、キット、及び組み合わせにおいても使用することができる。
【産業上の利用可能性】
【０１２１】
本明細書中に開示されたキャンドル・アセンブリは、同文中に記載された燃料要素などの奉納ロウソクを支持するために使用することもできる。音声及び／又は光の特徴は、ユーザに心地良さを提供するために加えられ、制御されることもできる。
【０１２２】
多数の変形例は、前述の説明を考慮して当業者に明らかである。したがって、この説明は一例にすぎない。
【図面の簡単な説明】
【０１２３】
【図１】図１は、キャンドル・アセンブリの第１の実施の形態の組立分解等角図である。
【図２】図２は、図１に示されるウィックホルダの拡大等角図である。
【図３】図３は、図１のライン３−３に沿った燃料要素の断面図である。
【図４】図４は、組立て形状にあるキャンドル・アセンブリを有する図１のライン３−３に対する概略横断面図である。
【図５】図５は、図４のライン５−５に沿った部分拡大断面図である。
【図６】図６は、別の実施の形態による、ウィックホルダ、及び溶融プレートの一部の拡大等角図である。
【図７】図７は、さらに別の実施の形態によるさらに別のウィックホルダの等角図である。
【図８】図８は、図５に示すような同様の図にある図７に示されるウィックホルダの拡大断面図である。
【図９】図９は、別の実施の形態によるキャンドル・アセンブリの等角図である。
【図１０】図１０は、さらに別の実施の形態によるキャンドル・アセンブリの組立分解等角図である。
【図１１】図１１は、中心線上の垂直面に沿った図１０のキャンドル・アセンブリの分解断面図である。
【図１２】図１２は、音声及び／又は光の特徴を組み込んだキャンドル・アセンブリの更なる実施の形態の等角図である。
【図１３】図１３は、図１２のキャンドル・アセンブリの側面図である。
【図１４】図１４は、図１２のキャンドル・アセンブリをその上面、前面、及び右側面から見た場合をそれぞれ示す組立分解等角図である。
【図１５】図１５は、図１２のキャンドル・アセンブリの制御ユニット及び拡散器をその上面、前面、及び右側面から見た場合をそれぞれ示す組立分解等角図である。
【図１６】図１６は、下方より見た場合の図１２の拡散器の等角図である。
【図１７】図１７は、図１２の拡散器の底面図である。
【図１８】図１８は、図１２のキャンドル・アセンブリの制御ユニット及び拡散器をその上面、前面、及び左側面から見た場合をそれぞれ示す組立分解等角図である。
【図１９】図１９は、下方から見た場合の、図１２のキャンドル・アセンブリの制御ユニットの各部分をその下面、後面、及び左側面から見た場合をそれぞれ示す組立分解等角図である。
【図２０】図２０は、上から見た場合の、図１８及び図１９の制御ユニットの制御ユニット・ハウジングと種々の構成要素をその上面、後面、左側面から見た場合をそれぞれ示す拡大等角図である。
【図２１】図２１は、図２０の制御ユニットの平面図である。
【図２２】図２２は、光特徴を組み込んだキャンドル・アセンブリの更なる実施の形態の拡大等角図である。
【図２３】図２３は、図２２のキャンドル・アセンブリの種々の部分をその上面、前面、及び右側面から見た場合をそれぞれ示す組立分解等角図である。
【図２４】図２６は、図２２のキャンドル・アセンブリの種々の部分をその上面、前面、及び左側面から見た場合をそれぞれ示す組立分解等角図である。
【図２５】図２７は、下方から見た場合の図２２の拡散器の等角図である。
【図２６】図２８は、下方から見た場合の図２２の制御ユニットの拡大等角図である。
【図２６Ａ】図２８Ａは、下方から見た場合の図２２の制御ユニットの組立分解等角図である。
【図２７】図２９は、下方から見た場合の図２２の制御ユニット及びその構成要素の拡大等角図である。
【図２８】図３０は、図２２のキャンドル・アセンブリの種々の部分の組立分解等角図である。
【図２９】図３１は、図２２の制御ユニットの平面図である。
【図３０】図３２は、図２２の制御ユニットの拡大分解図である。
【図３１】図３３は、光又は音声特徴を組み込んだキャンドル・アセンブリの別の実施の形態の等角図である、
【図３２】図３２は、図３１のキャンドル・アセンブリの側面図である。
【図３３】図３３は、別の実施の形態によるキャンドル・アセンブリの平面図である。
【図３４】図３４は、別の実施の形態によるキャンドル・アセンブリの平面図である。
【図３５】図３５は、別の実施の形態によるキャンドル・アセンブリの平面図である。
【図３６】図３６は、図３３のライン３６−３６に沿ったキャンドル・アセンブリの別の実施の形態の断面図である。
【図３７】図３７は、図３４のライン３７−３７に沿ったキャンドル・アセンブリの別の実施の形態の断面図である。
【図３８】図３８は、図３５のライン３８−３８に沿ったキャンドル・アセンブリの別の実施の形態の断面図である。
【図３８Ａ】図３８Ａは、キャンドル・アセンブリの別の実施の形態の断面図である。
【図３９】図３９は、ヒートセンサを組み込んだ別の実施の形態によるキャンドル・アセンブリの高位置断面図である。
【図４０】図４０は、ホール効果センサを組み込んだ別の実施の形態によるキャンドル・アセンブリの高位置断面図である。
【図４１】図４１は、ヒートセンサを組み込んだ別の実施の形態によるキャンドル・アセンブリの別の高位置断面図である。
【図４２】図４２は、サーモクロマチック・ラベルを組み込んだ別の実施の形態によるキャンドル・アセンブリの別の断面図である、
【図４３】図４３は、拡散器及びキャンドルホルダの間に配置された磁石若しくは鉄材料を組み込んだ別の実施の形態によるキャンドル・アセンブリの別の高位置断面図である。
【図４４】図４４は、電子通信リンクを制御ユニットに組み込んだ別の実施の形態によるキャンドル・アセンブリの別の断面図である。
【図４５】図４５は、図１４、図１５及び図１８から図２１のＬＥＤ及びスピーカを作動するための回路の簡略化された概略ブロック図である。
【図４６】図４６は、光センサ及び／又はヒートセンサを組み込んだ実施の形態によるキャンドル・アセンブリのＬＥＤ及びスピーカを作動するための回路の簡略化された概略ブロック図である。
【図４７】図４７は、音声検出調節性センサを組み込んだ実施の形態によるキャンドル・アセンブリのＬＥＤ及びスピーカを作動するための回路の簡略化された概略ブロック図である。
【図４８】図４８は、光センサ及びサーモクロマチック・ストリップを組み込んだ実施の形態によるキャンドル・アセンブリのＬＥＤ及びスピーカを作動するための回路の簡略化された概略ブロック図である。
【図４９】図４９は、電子通信リンクを組み込んだ実施の形態によるキャンドル・アセンブリのＬＥＤ及びスピーカを作動するための回路の簡略化された概略ブロック図である。
【図５０】図５０は、図４５のプロセッサによって実行されるプログラミングを示すフローチャートである。
【図５１】図５１は、図３５から図４０に示される実施の形態のプロセッサによって実行されるプログラミングを示すフローチャートである。
【図５２】図５２は、音声検出センサを組み込んだ実施の形態のプロセッサによって実行されるプログラミングを示すフローチャートである。
【図５３】図５３は、図４２から図４５に示される実施の形態のプロセッサによって実行されるプログラミングを示すフローチャートである。
【図５４】図５４は、制御ユニット内の電気構成要素に対する通信リンクとしてホール効果センサを利用する別の実施の形態によるキャンドル・アセンブリの別の高位置断面図である。
【図５５】図５５は、さらに別の実施の形態によるキャンドル・アセンブリの等角図である。
【図５６】図５６は、図５５のキャンドル・アセンブリの平面図である。
【図５７】図５７は、図５５のキャンドル・アセンブリの底面図である。
【図５８】図５８は、図５５のキャンドル・アセンブリの組立分解等角図である。
【図５９】図５９は、図５５のライン５９−５９にほぼ沿った図５５のキャンドル・アセンブリの断面図である。
【図６０】図６０は、図５５から図５９によるキャンドル・アセンブリを作動するための回路の簡略化された概略ブロック図である。
【図１】
2009521785.tif 000005
【図２】
2009521785.tif 000006
【図３】
2009521785.tif 000007
【図４】
2009521785.tif 000008
【図５】
2009521785.tif 000009
【図６】
2009521785.tif 000010
【図７】
2009521785.tif 000011
【図８】
2009521785.tif 000012
【図９】
2009521785.tif 000013
【図１０】
2009521785.tif 000014
【図１１】
2009521785.tif 000015
【図１２】
2009521785.tif 000016
【図１３】
2009521785.tif 000017
【図１４】
2009521785.tif 000018
【図１５】
2009521785.tif 000019
【図１６】
2009521785.tif 000020
【図１７】
2009521785.tif 000021
【図１８】
2009521785.tif 000022
【図１９】
2009521785.tif 000023
【図２０】
2009521785.tif 000024
【図２１】
2009521785.tif 000025
【図２２】
2009521785.tif 000026
【図２３】
2009521785.tif 000027
【図２４】
2009521785.tif 000028
【図２５】
2009521785.tif 000029
【図２６】
2009521785.tif 000030
【図２６Ａ】
2009521785.tif 000031
【図２７】
2009521785.tif 000032
【図２８】
2009521785.tif 000033
【図２９】
2009521785.tif 000034
【図３０】
2009521785.tif 000035
【図３１】
2009521785.tif 000036
【図３２】
2009521785.tif 000037
2009521785.tif 000038
【図３４】
2009521785.tif 000039
【図３５】
2009521785.tif 000040
【図３６】
2009521785.tif 000041
【図３７】
2009521785.tif 000042
【図３８】
2009521785.tif 000043
【図３８Ａ】
2009521785.tif 000044
【図３９】
2009521785.tif 000045
【図４０】
2009521785.tif 000046
【図４１】
2009521785.tif 000047
【図４２】
2009521785.tif 000048
【図４３】
2009521785.tif 000049
【図４４】
2009521785.tif 000050
【図４５】
2009521785.tif 000051
【図４６】
2009521785.tif 000052
【図４７】
2009521785.tif 000053
【図４８】
2009521785.tif 000054
【図４９】
2009521785.tif 000055
【図５０】
2009521785.tif 000056
【図５１】
2009521785.tif 000057
【図５２】
2009521785.tif 000058
【図５３】
2009521785.tif 000059
【図５４】
2009521785.tif 000060
【図５５】
2009521785.tif 000061
【図５６】
2009521785.tif 000062
【図５７】
2009521785.tif 000063
【図５８】
2009521785.tif 000064
【図５９】
2009521785.tif 000065
【図６０】
2009521785.tif 000066
【手続補正書】
【提出日】平成20年11月28日(2008.11.28)
【手続補正１】
【補正対象書類名】明細書
【補正対象項目名】図面の簡単な説明
【補正方法】変更
【補正の内容】
【図面の簡単な説明】
【０１２３】
【図１】  図１は、キャンドル・アセンブリの第１の実施の形態の組立分解等角図である。
【図２】  図２は、図１に示されるウィックホルダの拡大等角図である。
【図３】  図３は、図１のライン３−３に沿った燃料要素の断面図である。
【図４】  図４は、組立て形状にあるキャンドル・アセンブリを有する図１のライン３−３に対する概略横断面図である。
【図５】  図５は、図４のライン５−５に沿った部分拡大断面図である。
【図６】  図６は、別の実施の形態による、ウィックホルダ、及び溶融プレートの一部の拡大等角図である。
【図７】  図７は、さらに別の実施の形態によるさらに別のウィックホルダの等角図である。
【図８】  図８は、図５に示すような同様の図にある図７に示されるウィックホルダの拡大断面図である。
【図９】  図９は、別の実施の形態によるキャンドル・アセンブリの等角図である。
【図１０】  図１０は、さらに別の実施の形態によるキャンドル・アセンブリの組立分解等角図である。
【図１１】  図１１は、中心線上の垂直面に沿った図１０のキャンドル・アセンブリの分解断面図である。
【図１２】  図１２は、音声及び／又は光の特徴を組み込んだキャンドル・アセンブリの更なる実施の形態の等角図である。
【図１３】  図１３は、図１２のキャンドル・アセンブリの側面図である。
【図１４】  図１４は、図１２のキャンドル・アセンブリをその上面、前面、及び右側面から見た場合をそれぞれ示す組立分解等角図である。
【図１５】  図１５は、図１２のキャンドル・アセンブリの制御ユニット及び拡散器をその上面、前面、及び右側面から見た場合をそれぞれ示す組立分解等角図である。
【図１６】  図１６は、下方より見た場合の図１２の拡散器の等角図である。
【図１７】  図１７は、図１２の拡散器の底面図である。
【図１８】  図１８は、図１２のキャンドル・アセンブリの制御ユニット及び拡散器をその上面、前面、及び左側面から見た場合をそれぞれ示す組立分解等角図である。
【図１９】  図１９は、下方から見た場合の、図１２のキャンドル・アセンブリの制御ユニットの各部分をその下面、後面、及び左側面から見た場合をそれぞれ示す組立分解等角図である。
【図２０】  図２０は、上から見た場合の、図１８及び図１９の制御ユニットの制御ユニット・ハウジングと種々の構成要素をその上面、後面、左側面から見た場合をそれぞれ示す拡大等角図である。
【図２１】  図２１は、図２０の制御ユニットの平面図である。
【図２２】  図２２は、光特徴を組み込んだキャンドル・アセンブリの更なる実施の形態の拡大等角図である。
【図２３】  図２３は、図２２のキャンドル・アセンブリの種々の部分をその上面、前面、及び右側面から見た場合をそれぞれ示す組立分解等角図である。
【図２４】  図２４は、図２２のキャンドル・アセンブリの種々の部分をその上面、前面、及び左側面から見た場合をそれぞれ示す組立分解等角図である。
【図２５】  図２５は、下方から見た場合の図２２の拡散器の等角図である。
【図２６】  図２６は、下方から見た場合の図２２の制御ユニットの拡大等角図である。
【図２６Ａ】  図２６Ａは、下方から見た場合の図２２の制御ユニットの組立分解等角図である。
【図２７】  図２７は、下方から見た場合の図２２の制御ユニット及びその構成要素の拡大等角図である。
【図２８】  図２８は、図２２のキャンドル・アセンブリの種々の部分の組立分解等角図である。
【図２９】  図２９は、図２２の制御ユニットの平面図である。
【図３０】  図３０は、図２２の制御ユニットの拡大分解図である。
【図３１】  図３１は、光又は音声特徴を組み込んだキャンドル・アセンブリの別の実施の形態の等角図である、
【図３２】  図３２は、図３１のキャンドル・アセンブリの側面図である。
【図３３】  図３３は、別の実施の形態によるキャンドル・アセンブリの平面図である。
【図３４】  図３４は、別の実施の形態によるキャンドル・アセンブリの平面図である。
【図３５】  図３５は、別の実施の形態によるキャンドル・アセンブリの平面図である。
【図３６】  図３６は、図３３のライン３６−３６に沿ったキャンドル・アセンブリの別の実施の形態の断面図である。
【図３７】  図３７は、図３４のライン３７−３７に沿ったキャンドル・アセンブリの別の実施の形態の断面図である。
【図３８】  図３８は、図３５のライン３８−３８に沿ったキャンドル・アセンブリの別の実施の形態の断面図である。
【図３８Ａ】  図３８Ａは、キャンドル・アセンブリの別の実施の形態の断面図である。
【図３９】  図３９は、ヒートセンサを組み込んだ別の実施の形態によるキャンドル・アセンブリの高位置断面図である。
【図４０】  図４０は、ホール効果センサを組み込んだ別の実施の形態によるキャンドル・アセンブリの高位置断面図である。
【図４１】  図４１は、ヒートセンサを組み込んだ別の実施の形態によるキャンドル・アセンブリの別の高位置断面図である。
【図４２】  図４２は、サーモクロマチック・ラベルを組み込んだ別の実施の形態によるキャンドル・アセンブリの別の高位置断面図である、
【図４３】  図４３は、拡散器及びキャンドルホルダの間に配置された磁石若しくは鉄材料を組み込んだ別の実施の形態によるキャンドル・アセンブリの別の高位置断面図である。
【図４４】  図４４は、電子通信リンクを制御ユニットに組み込んだ別の実施の形態によるキャンドル・アセンブリの別の断面図である。
【図４５】  図４５は、図１４、図１５及び図１８から図２１のＬＥＤ及びスピーカを作動するための回路の簡略化された概略ブロック図である。
【図４６】  図４６は、光センサ及び／又はヒートセンサを組み込んだ実施の形態によるキャンドル・アセンブリのＬＥＤ及びスピーカを作動するための回路の簡略化された概略ブロック図である。
【図４７】  図４７は、音声検出調節性センサを組み込んだ実施の形態によるキャンドル・アセンブリのＬＥＤ及びスピーカを作動するための回路の簡略化された概略ブロック図である。
【図４８】  図４８は、光センサ及びサーモクロマチック・ストリップを組み込んだ実施の形態によるキャンドル・アセンブリのＬＥＤ及びスピーカを作動するための回路の簡略化された概略ブロック図である。
【図４９】  図４９は、電子通信リンクを組み込んだ実施の形態によるキャンドル・アセンブリのＬＥＤ及びスピーカを作動するための回路の簡略化された概略ブロック図である。
【図５０】  図５０は、図４５のプロセッサによって実行されるプログラミングを示すフローチャートである。
【図５１】  図５１は、図３５から図４０に示される実施の形態のプロセッサによって実行されるプログラミングを示すフローチャートである。
【図５２】  図５２は、音声検出センサを組み込んだ実施の形態のプロセッサによって実行されるプログラミングを示すフローチャートである。
【図５３】  図５３は、図４２から図４５に示される実施の形態のプロセッサによって実行されるプログラミングを示すフローチャートである。
【図５４】  図５４は、制御ユニット内の電気構成要素に対する通信リンクとしてホール効果センサを利用する別の実施の形態によるキャンドル・アセンブリの別の高位置断面図である。
【図５５】  図５５は、さらに別の実施の形態によるキャンドル・アセンブリの等角図である。
【図５６】  図５６は、図５５のキャンドル・アセンブリの平面図である。
【図５７】  図５７は、図５５のキャンドル・アセンブリの底面図である。
【図５８】  図５８は、図５５のキャンドル・アセンブリの組立分解等角図である。
【図５９】  図５９は、図５５のライン５９−５９にほぼ沿った図５５のキャンドル・アセンブリの断面図である。
【図６０】  図６０は、図５５から図５９によるキャンドル・アセンブリを作動するための回路の簡略化された概略ブロック図である。
【国際調査報告】
2009521785.tif 000067
2009521785.tif 000068
2009521785.tif 000069